(57)【要約】【課題】店員の負担を軽減させる。【解決手段】商品販売データ処理システムは、顧客の購入対象の商品を登録する複数の登録装置と、前記商品の登録データに基づいて顧客が自ら操作して精算処理を行う複数の精算装置とを有する商品販売データ処理システムであり、前記登録装置は、商品を登録する登録手段と、前記登録手段によって登録された商品の登録データを出力する出力手段と、前記精算装置を休止させるための休止操作を受け付ける休止操作手段とを備え、前記出力手段は、前記休止操作手段が前記休止操作を受け付けている場合には、当該休止操作に基づいて前記精算装置を休止させるための休止情報を出力する。【選択図】図１６
2019133514.tif 000002
【特許請求の範囲】
【請求項１】
顧客の購入対象の商品を登録する複数の登録装置と、前記商品の登録データに基づいて顧客が自ら操作して精算処理を行う複数の精算装置とを有する商品販売データ処理システムにおいて、
前記登録装置は、
商品を登録する登録手段と、
前記登録手段によって登録された商品の登録データを出力する出力手段と、
前記精算装置を休止させるための休止操作を受け付ける休止操作手段と
を備え、
前記出力手段は、
前記休止操作手段が前記休止操作を受け付けている場合には、当該休止操作に基づいて前記精算装置を休止させるための休止情報を出力することを特徴とする商品販売データ処理システム。
【請求項２】
前記出力手段は、
前記休止操作手段が前記休止操作を受け付けている場合には、前記登録データとともに前記休止情報を出力することを特徴とする請求項１に記載の商品販売データ処理システム。
【請求項３】
前記登録装置は、
前記休止操作手段が前記休止操作を受け付けた場合には、当該休止操作によって休止させる前記精算装置が休止する旨を他の登録装置に報知することを特徴とする請求項１または請求項２に記載の商品販売データ処理システム。
【請求項４】
前記出力手段は、
釣銭に関する情報とともに前記休止情報を出力することを特徴とする請求項１乃至請求項３の何れか１項に記載の商品販売データ処理システム。
【請求項５】
前記精算装置は、
少なくとも、精算処理が実行可能な状態である実行可能状態と、精算処理が実行不可能な状態である休止状態と制御する状態制御手段と、
前記登録データを受信する受信手段と、
前記受信手段によって受信された前記登録データに基づいて精算処理を行う精算手段と
を備え、
前記状態制御手段は、
前記登録データとともに前記休止情報を受信した場合には、前記精算手段による精算処理が行われた後に前記休止状態に制御することを特徴とする請求項１乃至請求項４の何れか１項に記載の商品販売データ処理システム。
【請求項６】
顧客の購入対象の商品を登録する登録装置であって、
商品を登録する登録手段と、
前記登録手段によって登録された商品の登録データを出力する出力手段と、
前記商品の登録データに基づいて顧客が自ら操作して精算処理を行う精算装置を休止させるための休止操作を受け付ける休止操作手段と
を備え、
前記休止操作手段が前記休止操作を受け付けている場合には、当該休止操作に基づいて前記精算装置を休止させるための休止情報を出力することを特徴とする登録装置。
【発明の詳細な説明】
【技術分野】
【０００１】
本発明は、商品販売データ処理システムおよび登録装置に関する。
【背景技術】
【０００２】
登録装置と精算装置とが別体であるＰＯＳシステムにおいて、精算装置が休止状態であることを他の装置の表示画面において確認できるシステムが知られている（例えば、特許文献１参照）。
【先行技術文献】
【特許文献】
【０００３】
【特許文献１】特開２０１４−２１１８３１号公報
【発明の概要】
【発明が解決しようとする課題】
【０００４】
しかしながら、精算装置を休止させる場合、登録装置を操作する店員等が、登録装置から離れた位置に設置されている精算装置のところまで移動し、該精算装置を実際に操作することにより休止させる必要があり、店員の負担となっていた。
【０００５】
本発明は、このような事情に鑑みてなされたもので、精算装置を休止等させる際の店員の負担を軽減させる技術を提供することを目的とする。
【課題を解決するための手段】
【０００６】
上述した課題を解決する本発明の一態様である商品販売データ処理システムは、顧客の購入対象の商品を登録する複数の登録装置と、前記商品の登録データに基づいて顧客が自ら操作して精算処理を行う複数の精算装置とを有する商品販売データ処理システムにおいて、前記登録装置は、商品を登録する登録手段と、前記登録手段によって登録された商品の登録データを出力する出力手段と、前記精算装置を休止させるための休止操作を受け付ける休止操作手段とを備え、前記出力手段は、前記休止操作手段が前記休止操作を受け付けている場合には、当該休止操作に基づいて前記精算装置を休止させるための休止情報を出力することを特徴とする。
【０００７】
上記商品販売データ処理システムにおいて、前記出力手段は、前記休止操作手段が前記休止操作を受け付けている場合には、前記登録データとともに前記休止情報を出力してもよい。
【０００８】
上記商品販売データ処理システムにおいて、前記登録装置は、前記休止操作手段が前記休止操作を受け付けた場合には、当該休止操作によって休止させる前記精算装置が休止する旨を他の登録装置に報知してもよい。例えば、前記出力手段は、前記休止操作手段が前記休止操作を受け付けた場合には、他の登録装置に対し、当該休止操作によって休止させる前記精算装置が休止する旨の報知情報を出力してもよい。
【０００９】
上記商品販売データ処理システムにおいて、前記出力手段は、釣銭に関する情報とともに前記休止情報を出力してもよい。
【００１０】
上記商品販売データ処理システムにおいて、前記精算装置は、少なくとも、精算処理が実行可能な状態である実行可能状態と、精算処理が実行不可能な状態である休止状態と制御する状態制御手段と、前記登録データを受信する受信手段と、前記受信手段によって受信された前記登録データに基づいて精算処理を行う精算手段とを備え、前記状態制御手段は、前記登録データとともに前記休止情報を受信した場合には、前記精算手段による精算処理が行われた後に前記休止状態に制御してもよい。
【００１１】
上述した課題を解決する本発明の一態様である登録装置は、顧客の購入対象の商品を登録する登録装置であって、商品を登録する登録手段と、前記登録手段によって登録された商品の登録データを出力する出力手段と、前記商品の登録データに基づいて顧客が自ら操作して精算処理を行う精算装置を休止させるための休止操作を受け付ける休止操作手段とを備え、前記休止操作手段が前記休止操作を受け付けている場合には、当該休止操作に基づいて前記精算装置を休止させるための休止情報を出力することを特徴とする。
【発明の効果】
【００１２】
以上、本発明によれば、店員の負担が軽減する。
【図面の簡単な説明】
【００１３】
【図１】ＰＯＳシステムのネットワーク構成図である。
【図２】ＰＯＳシステムの配置レイアウトの一例である。
【図３】登録装置の構成を示すブロック図である。
【図４】精算装置の構成を示すブロック図である。
【図５】登録装置における表示例である。
【図６】登録装置における表示例である。
【図７】登録装置における表示例である。
【図８】登録装置における表示例である。
【図９】登録装置が生成、送信する登録データ等の一例である。
【図１０】登録装置が生成、送信する登録データ等の一例である。
【図１１】登録装置における表示例である。
【図１２】登録装置における表示例等である。
【図１３】登録装置における表示例である。
【図１４】小計画面における表示例である。
【図１５】精算装置における表示例である。
【図１６】登録装置の動作の流れの一例を示すフローチャートである。
【図１７】精算装置の動作の流れの一例を示すフローチャートである。
【図１８】他の動作の流れの一例を示すフローチャートである。
【図１９】他の動作の流れの一例を示すフローチャートである。
【図２０】他の動作の流れの一例を示すフローチャートである。
【図２１】他の動作の流れの一例を示すフローチャートである。
【図２２】他の動作の流れの一例を示すフローチャートである。
【図２３】操作について説明する説明図である。
【発明を実施するための形態】
【００１４】
以下、本発明の実施形態について図面を参照して説明する。図１は、本実施形態におけるＰＯＳシステム１のネットワーク構成図を示している。図１に示すＰＯＳシステム１は、複数の登録装置１０ａ、１０ｂ等と、複数の精算装置２０ａ、２０ｂ等と、ストアコントローラ３０と、監視装置４０とを備え、各装置はＬＡＮ１１を介して通信可能に接続されている。以下、個々の登録装置１０ａ、１０ｂ等の夫々を特に区別しない場合には単に登録装置１０と称し、個々の精算装置２０ａ、２０ｂ等の夫々を特に区別しない場合には単に精算装置２０と称するものとする。なお、破線Ｐについては後述する。
【００１５】
登録装置１０は、店員により操作され、買上商品の登録処理を行うための装置である。例えば、登録装置１０は、登録処理の実行し、登録処理の処理内容（当該客の買上商品に関する商品登録情報）を含む登録データ（登録情報）を生成し、生成した登録データを店員により指定された精算装置２０に送信する。
【００１６】
以下の記載において、登録装置１０から精算装置２０に登録データを送信するとは、別段の断りがない限り、登録装置１０から送信された登録データが最終的に精算装置２０において受信されるという意味であり、登録装置１０から他の装置（例えば、ストアコントローラ３０等）を介して精算装置２０に登録データが送信される場合の他、登録装置１０から他の装置を介さずに直接精算装置２０に登録データが送信される場合も含まれる。休止制御データ（後述）についても同様である。
【００１７】
精算装置２０は、主に客により操作され、買上商品の精算処理を行うための装置である。例えば、精算装置２０は、登録装置１０から送信された登録データを受信し、該登録データに基づいて精算処理を実行する。
【００１８】
精算装置２０は、種々の動作モード（動作状態）を有する。例えば、精算装置２０は、精算処理が実行可能な状態である実行可能モード（実行可能状態）、精算処理が実行不可な状態である休止モード（休止状態）を有する。実行可能モードには、精算処理が実際に実行されている状態である実行モード（実行状態）と、精算処理が実際に実行されていないが実行可能な状態である待機モード（待機状態）とが含まれる。なお、他の装置（登録装置１０等）も、夫々、種々の動作モードを有するが、説明は省略する。
【００１９】
ストアコントローラ３０は、少なくとも、制御部（ストアコントローラ制御部と称する。不図示）、記憶部（ストアコントローラ記憶部と称する。不図示）、通信部（ストアコントローラ通信部と称する。不図示）を備える。ストアコントローラ制御部は、ストアコントローラ３０全体を制御する。
【００２０】
ストアコントローラ記憶部は、種々の情報を記憶する。例えば、ストアコントローラ記憶部は、商品ファイルをマスタファイルとして記憶する。商品ファイルは、商品コード（例えば、ＪＡＮ）、商品名、単価等を含むマスタファイルである。また例えば、ストアコントローラ記憶部は、他の装置（登録装置１０、精算装置２０等）から送信された情報を記憶する。
【００２１】
ストアコントローラ通信部は、ストアコントローラ制御部の制御によって、種々の情報を送受信する。例えば、ストアコントローラ通信部は、外部（例えば、本部のサーバ）から商品ファイルを受信し、ストアコントローラ記憶部に記憶する。また、ストアコントローラ通信部は、ストアコントローラ記憶部に記憶している商品ファイルを登録装置１０や精算装置２０に送信（配信）する。また、ストアコントローラ通信部は、他の装置から情報を受信する。
【００２２】
監視装置４０は、少なくとも、制御部（監視装置制御部と称する。不図示）、記憶部（監視装置記憶部と称する。不図示）、表示部（監視装置表示部と称する。不図示）、通信部（監視装置通信部と称する。不図示）を備え、他の装置（登録装置１０、精算装置２０等）の状態を監視する。例えば、監視装置４０は、動作モード（例えば、実行可能モード、休止モード）を監視する。また、例えば、監視装置４０は、精算装置２０が備える印刷部２１１（図４参照）において使用するレシート用紙（ロール紙）の残量や、精算装置２０が備える釣銭機２１２（図４参照）内の貨幣の数量を監視する。
【００２３】
図２は、ＰＯＳシステム１の配置レイアウトの一例である。なお、図２の配置レイアウトは、図１に示したＰＯＳシステム１の一部による配置レイアウトを示している。具体的には、図２は、図１の破線Ｐ内の装置（登録装置１０ａ、１０ｂ、精算装置２０ａ、２０ｂ、精算装置２０ｃ）から構成されるユニットの構成例を示している。
【００２４】
なお、店舗内（売場内）には、図１に示したユニットのほか、更に、同様の構成（あるいは異なる構成）のユニットが１組以上と監視装置４０とが配置されている。また、事務所内には、ストアコントローラ３０が配置されている（監視装置４０も事務所内に配置してもよい）。
【００２５】
図２に示すように、登録装置１０ａ及び登録装置１０ｂは、２列の会計導線（会計動線とも称する。図中の点線）が形成されるような位置に並列に配置されている。具体的には、登録装置１０ａは、カウンタ台２ａの略中央位置に配置され、登録装置１０ｂは、カウンタ台２ａと平行に並べられたカウンタ台２ｂの略中央位置に配置されている。カウンタ台２ａ及びカウンタ台２ｂは、買物カゴ９を滑らせて移動可能である。カウンタ台２ａとカウンタ台２ｂとを特に区別しない場合には、以下、カウンタ台２と称する。
【００２６】
精算装置２０ａ、２０ｂ、２０ｃは、カウンタ台２ａと、カウンタ台２ｂと、各登録装置１０と、各精算装置２０とを天井側から見た場合に、全体として、略“コ”の字型の形状になるような位置に配置されている。換言すれば、夫々の精算装置２０は、会計導線ａの下流側の一端と会計導線ｂの下流側の一端を結ぶ直線上（又は当該直線の近傍）において精算処理が行われるように配置されている。
【００２７】
精算装置２０ｂと精算装置２０ｃの間には、集積台３が配されている。集積台３には、レジ袋を保持するレジ袋保持具（レジ袋保持手段）４と、買上げ商品を一時的に載置する一時置き台５とが組み付けられている。
【００２８】
図３は、登録装置１０の構成を示すブロック図である。図３に示すように、登録装置１０は、ＣＰＵ１０１と、ＲＯＭ１０２と、ＲＡＭ１０３と、スキャナ部１０４と、店員用表示部１０５と、客用表示部１０６と、ハードディスク１０７と、キー操作部１０８と、通信部１０９と、ブザー１１０と、印刷部１１１と、バス１１５とを備える。これらは、バス１１５を介して互いに接続されている。
【００２９】
ＲＯＭ１０２は、登録処理をＣＰＵ１０１に実行させるための商品登録プログラムを記憶する。ＲＡＭ１０３には、ＲＯＭ１０２又はハードディスク１０７から読み出された商品登録プログラムが展開される。また、ＲＡＭ１０３は、商品登録プログラムが実行されることによって生成された各種変数及びデータを一時記憶する。
【００３０】
スキャナ部１０４は、バーコードを光学的に読み取るスキャナである。スキャナ部１０４は、店員による操作により、商品に付されたバーコードから商品コードを光学的に読み取って、読み取った商品コードをＲＡＭ１０３に記憶させる。
【００３１】
ＣＰＵ１０１は、ＲＯＭ１０２等に記憶された商品登録プログラムを読み出してＲＡＭ１０３に展開し、展開した商品登録プログラムのステップを実行することにより、登録装置１０全体を制御する。例えば、ＣＰＵ１０１は、スキャナ部１０４が読み取った商品コードと、ハードディスク１０７に記憶された商品ファイルとに基づいて、買上商品の商品名及び小計金額等を、店員用表示部１０５に表示させる。
【００３２】
また、ＣＰＵ１０１は、商品登録した全部の商品の商品コードを含む登録データを生成する。ＣＰＵ１０１は、生成した登録データを、通信部１０９を制御して、精算装置２０に送信させる。なお、ＣＰＵ１０１は、生成した登録データを精算装置２０に送信することに加えて、ＲＡＭ１０３又はハードディスク１０７に記憶してもよい。なお、本実施形態では、ＣＰＵ１０１は、休止制御情報（後述）を含む登録データを生成する場合がある。詳細は後述する。
【００３３】
店員用表示部１０５は、例えば、液晶タッチディスプレイ装置である。店員用表示部１０５は、店員に各種の情報（登録画面等）を表示する。また、店員用表示部１０５は、店員が操作する各種ボタン（各種キー）を表示する。例えば、商品登録の終了を指示するための小計ボタン、登録データの送信先を指定（選択）するための精算装置指定ボタンなどに加え、精算装置２０を休止させるための休止ボタンや精算装置２０の休止を解除させるための休止解除ボタンを表示する。
【００３４】
客用表示部１０６は、例えば、液晶タッチディスプレイ装置である。客用表示部１０６は、客に各種の情報（単価等）を表示する。また、客用表示部１０６は、客が操作する各種ボタン（例えば年齢確認のＯＫボタン等）を表示する。
【００３５】
ハードディスク１０７は、例えば、磁気記録装置であり、外部から取得される情報（例えば、商品ファイル、商品登録プログラム等）や、自登録装置１０において生成される情報（例えば、登録データ等）を記憶する。
【００３６】
キー操作部１０８は、店員が操作する各種ボタン（金額等の数字を入力するための数字ボタン等）を配置する。通信部１０９は、ＬＡＮ１１を介して外部の装置（他の登録装置１０、精算装置２０、ストアコントローラ３０、監視装置４０）と通信するための通信インタフェースである。ブザー１１０は、確認音及び警告音を発生させるための音発生部である。印刷部１１１は、各種媒体を印刷、発行する。
【００３７】
図４は、精算装置２０の構成を示すブロック図である。図４に示すように、精算装置２０は、ＣＰＵ２０１と、ＲＯＭ２０２と、ＲＡＭ２０３と、スキャナ部２０４と、表示部２０６と、ハードディスク２０７と、通信部２０９と、ブザー２１０と、印刷部２１１と、釣銭機２１２と、サインポール２１３と、バス２１５とを備える。これらは、バス２１５を介して互いに接続されている。
【００３８】
ＲＯＭ２０２は、精算処理をＣＰＵ２０１に実行させるための会計プログラムを記憶する。ＲＡＭ２０３は、ＲＯＭ２０２又はハードディスク２０７から読み出された商品登録プログラムが展開される。また、ＲＡＭ２０３は、会計プログラムが実行されることによって生成された各種変数及びデータを一時記憶する。スキャナ部２０４は、バーコードを光学的に読み取るスキャナである。
【００３９】
ＣＰＵ２０１は、ＲＯＭ２０２に記憶された会計プログラムを読み出してＲＡＭ２０３に展開し、展開した会計プログラムのステップを実行することにより、精算装置２０全体を制御する。例えば、ＣＰＵ２０１は、登録装置１０から送信された登録データに基づいて合計金額を表示部２０６に表示させる。また、ＣＰＵ２０１は、釣銭機２１２に投入された貨幣の金額に関する情報を釣銭機２１２から取得し、入金額として表示部２０６に表示させる。また、ＣＰＵ２０１は、合計金額と入金額とに基づいて釣銭額（釣り銭金額）を算出し、表示部２０６に表示させる。また、ＣＰＵ２０１は、精算処理が終了すると、レシートを印刷部２１１から発行させるとともに、釣り銭と等しい額の貨幣を釣銭機２１２から排出させる。また、ＣＰＵ２０１は、精算処理が終了すると、預り金額や釣銭額を含む精算データ（精算情報）を生成し、通信部２０９を制御して、外部の装置（例えば、ストアコントローラ３０）に送信させる。なお、ＣＰＵ２０１は、生成した精算データを、外部の装置に送信することに加えて、ＲＡＭ２０３又はハードディスク２０７に記憶してもよい。
【００４０】
表示部２０６は、例えば、液晶タッチディスプレイ装置である。表示部２０６には、客が操作するためのガイダンス（メッセージ）表示や操作ボタンが表示される。操作ボタンとしては、例えば、精算装置２０に移動してきた客が精算装置２０における処理（精算）の開始を宣言（指示）するための開始ボタンや、貨幣の投入を終えた客が釣銭機２１２に釣銭処理（投入金額を確定させて必要な釣り銭を排出させる処理）を開始させるためのおわりボタン等である。また、表示部２０６には、動作モードに応じた情報（例えば、待機モードであるときには「待機中」のメッセージ、休止モードであるときには「休止中」のメッセージ）も表示される。
【００４１】
ハードディスク２０７は、例えば、磁気記録装置であり、外部から取得される情報（例えば、登録データ等）や、自精算装置２０において生成される情報（例えば、精算データ等）を記憶する。
【００４２】
通信部２０９は、ＬＡＮ１１を介して外部の装置（登録装置１０、他の精算装置２０、ストアコントローラ３０、監視装置４０）と通信するための通信インタフェースである。ブザー２１０は、確認音及び警告音を発生させるための音発生部である。印刷部２１１は、各種媒体を印刷、発行する。
【００４３】
釣銭機２１２は、貨幣の投入口及び排出口を備え、投入口に投入された貨幣（硬貨及び紙幣の少なくとも一方）の算出処理（預り金額の算出処理、残留金額の算出処理）を行い、その入金額をＣＰＵ２０１に通知する。また、釣銭機２１２は、ＣＰＵ２０１から通知された釣銭額に基づいて、その釣銭額と等しい額の貨幣を排出口（取出口）に排出する。
【００４４】
サインポール２１３は、複数色の表示灯を有し、それらの表示灯表示態様（消灯、点灯、点滅等）により、店員や客に対し、自精算装置２０がどのような状態であるかや、自精算装置２０が特定の精算装置２０（例えば、店員によって指定された精算装置等）であるかなどを報知する。一例として、自精算装置２０が、現在、休止状態である旨や、現在は休止状態ではないが暫くしたら休止状態になる旨を報知してもよい。
【００４５】
続いて、登録装置１０の店員用表示部１０５に表示される各種画面等を用いて登録装置１０等の動作を説明する。
【００４６】
図５は、登録装置１０ａの店員用表示部１０５に表示される登録画面における表示例である。具体的には、図５は、１品目の商品の登録前の場面における登録画面の表示内容を示している。なお、図５の登録画面の表示時において、精算装置２０ａ、精算装置２０ｂ、精算装置２０ｃの何れも、実行可能モード（実行可能状態）であるものとする。また、図５の登録画面の表示時において、精算装置２０ａは、レシート用紙がニアエンドの状態（用紙ニアエンド状態）であるものとする。
【００４７】
図５において、画面左下の画像ＧＡ０１は２０１レジ（図１の精算装置２０ａ）の状態を示している。画像ＧＡ０２は２０２レジ（図１の精算装置２０ｂ）の状態を示している。画像ＧＡ０３は２０３レジ（図１の精算装置２０ｃ）の状態を示している。
【００４８】
画像ＧＡＹは、用紙ニアエンド状態である旨を示している。画像ＧＡＹが画像ＧＡ０１に対応付けて表示されているが、これは、２０１レジが用紙ニアエンド状態である旨を示している。
【００４９】
画像ＧＡＫは、休止モードである旨を示している。画像ＧＡＫが画像ＧＡ０１に対応付けて表示されているが、これは、２０１レジが休止モード（つまり休止中）である旨を示している。なお、ボタンＢＴＫについては後述する。
【００５０】
画面右下の小計ボタンＢＴ１０は、商品登録の終了を指示するためのボタンである。小計ボタンＢＴ１０は、商品登録後に操作（タッチ）されるボタンである。商品が何も登録されていない場合には、小計ボタンＢＴ１０を操作できないようにしている。図５は、商品が何も登録されていない場面であるため、操作可能ではない旨の表示態様（例えばグレーダウン等）で小計ボタンＢＴ１０を表示している。なお、図５における破線の小計ボタンＢＴ１０は、操作可能ではない旨の表示態様で小計ボタンＢＴ１０が表示されていることを表したものである。他図における小計ボタンＢＴ１０についても同様である。
【００５１】
休止ボタンＢＴ１１は、精算装置２０を休止させるためのボタンである。休止ボタンＢＴ１１は、商品登録後に操作されるボタンである。休止対象となる精算装置２０が存在しない場合（例えば、全ての精算装置２０が既に休止状態である場合等）には、休止ボタンＢＴ１１を操作できないようにしている。また、本実施例では、商品が既に登録されている場合であっても商品が何も登録されていない場合であっても、休止ボタンＢＴ１１を操作できるようにしているが、商品が何も登録されていない場合には、休止ボタンＢＴ１１を操作できないようにしてもよい。なお、図５における実線の休止ボタンＢＴ１１は、操作可能である旨の表示態様で休止ボタンＢＴ１１が表示されていることを表したものである。他図における休止ボタンＢＴ１１についても同様である。
【００５２】
休止解除ボタンＢＴ１２は、精算装置２０の休止を解除させるためのボタンである。解除対象となる精算装置２０が存在しない場合（休止状態の精算装置２０が１台も存在しない場合）や、商品が既に登録されている場合には、休止解除ボタンＢＴ１２を操作できないようにしている。図５の場面では、商品については何も登録されていないが、精算装置２０ａ、２０ｂ、２０ｃの何れも実行可能モード（実行可能状態）であるため（即ち、精算装置２０ａ、２０ｂ、２０ｃの何れも休止モードではないため）、操作可能ではない旨の表示態様で休止解除ボタンＢＴ１２を表示している。なお、図５における破線の休止解除ボタンＢＴ１２は、操作可能ではない旨の表示態様で休止解除ボタンＢＴ１２が表示されていることを表したものである。他図における休止解除ボタンＢＴ１２についても同様である。
【００５３】
図６は、登録装置１０ａの店員用表示部１０５に表示される登録画面における表示例である。具体的には、図６は、図５の場面に続く場面（商品の登録後の場面）における登録画面の表示内容を示している。
【００５４】
商品が登録された場合には、小計ボタンＢＴ１０を操作できるようにしている。図６は、商品が登録された場面であるため、操作可能である旨の表示態様（グレーダウン等ではない通常の表示態様）で小計ボタンＢＴ１０を表示している。なお、図６における実線の小計ボタンＢＴ１０は、操作可能である旨の表示態様で小計ボタンＢＴ１０が表示されていることを表したものである。他図における小計ボタンＢＴ１０についても同様である。
【００５５】
図７及び図８は、登録装置１０ａの店員用表示部１０５に表示される小計画面における表示例である。具体的には、図７は、図６の場面に続く場面（小計ボタンＢＴ１０の操作後の場面）における小計画面の表示内容を示している。図８は、図６の場面に続く他の場面（休止ボタンＢＴ１１の操作後の場面）における小計画面の表示内容を示している。なお、本実施形態では、登録画面において小計ボタンＢＴ１０又は休止ボタンＢＴ１１の何れか一方が操作されることにより小計画面に遷移することとしている。つまり、図６において小計ボタンＢＴ１０が操作された場合には図７の小計画面に遷移し、図６において休止ボタンＢＴ１１が操作された場合には図８の小計画面に遷移する。
【００５６】
図７及び図８において、画面下部の２０１レジボタンＢＴ２１は２０１レジ（精算装置２０ａ）を指定するためボタンである。２０２レジボタンＢＴ２２は２０２レジ（精算装置２０ｂ）を指定するためボタンである。２０３レジボタンＢＴ２３は２０３レジ（精算装置２０ｃ）を指定するためボタンである。画像ＧＡＹは、上述したように用紙ニアエンド状態である旨を示している。なお、図７及び図８における実線の２０１レジボタンＢＴ２１（２０２レジボタンＢＴ２２、２０３レジボタンＢＴ２３も同様）は、操作可能である旨の表示態様で２０１レジボタンＢＴ２１が表示されていることを表したものである。他図における２０１レジボタンＢＴ２１（２０２レジボタンＢＴ２２、２０３レジボタンＢＴ２３も同様）についても同様である。
【００５７】
お会計券ボタンＢＴ２４は、印刷部１１１にてお会計券（登録商標）を発行させるためのボタンである。お会計券には、精算装置２０において精算処理を実行するために必要な情報がコード化され印刷される。発行されたお会計券は、店員から客に手渡される。その後、客が、精算装置２０に移動し、当該精算装置２０（スキャナ部２０４）にお会計券上のコードを読み取られることに基づいて、当該精算装置２０において精算処理が実行される。なお、図７及び図８における実線のお会計券ボタンＢＴ２４は、操作可能である旨の表示態様でお会計券ボタンＢＴ２４が表示されていることを表したものである。他図におけるお会計券ボタンＢＴ２４についても同様である。
【００５８】
登録画面ボタンＢＴ２５は、小計画面から登録画面に画面を戻すためのボタンである。例えば、登録画面ボタンＢＴ２５は、買上商品を変更（追加、取消）する場合に用いられる。また、登録画面ボタンＢＴ２５は、精算装置２０を休止させる操作を忘れた場合や精算装置２０を休止させる操作を止める場合にも用いられる。つまり、一旦、登録画面に戻した後に前回操作したボタン（小計ボタンＢＴ１０又は休止ボタンＢＴ１１）とは異なる他方のボタン（休止ボタンＢＴ１１又は小計ボタンＢＴ１０）を操作する場合にも用いられる。なお、図７及び図８における実線の登録画面ボタンＢＴ２５は、操作可能である旨の表示態様で登録画面ボタンＢＴ２５が表示されていることを表したものである。他図における登録画面ボタンＢＴ２５についても同様である。
【００５９】
また、図８の小計画面には、精算装置２０を精算処理後に休止させる旨（休止ボタンＢＴ１１が操作された旨）のメッセージＭ１が表示されている。
【００６０】
なお、図７及び図８に示すように、小計ボタンＢＴ１０の操作後の小計画面（図７参照）においても、休止ボタンＢＴ１１が操作後の小計画面（図８参照）においても、お会計券ボタンＢＴ２４が操作可能である。つまり、精算装置２０を休止させない場合であっても精算装置２０を休止させる場合であってもお会計券の使用は可能である。
【００６１】
お会計券を発行する態様では、お会計券は、客が移動した精算装置２０において読み取られるが、読み取られる情報のなかに休止制御情報（後述）が含まれるようにしてもよいし、読み取られる情報に基づいて休止制御情報が得られるようにしてもよい。つまり、お会計券に休止制御情報をコード化して印刷してもよいし、お会計券に印刷れているコード化された情報に基づいて休止制御情報が得られるようにしてもよい。
【００６２】
なお、お会計券を発行する態様では、お会計券は、客が随意に移動した精算装置２０において読み取られる。従って、精算装置２０を休止させる場合においてお会計券を使用する場合には、休止させる精算装置２０を客に知らせる必要がある。例えば、店員は、お会計券を客に手渡しする際に、移動すべき精算装置２０（即ち、休止させる精算装置２０）を案内（例えば、口頭にて伝達等）してもよい。また、お会計券に、移動すべき精算装置２０に関する情報（例えば、番号等）を印刷してもよい。具体的には、登録装置１０ａは、お会計券ボタンＢＴ２４の押下後に、休止させる精算装置２０を店員に指定させる小画面を表示し、当該小画面において精算装置２０が指定された場合に、指定された精算装置２０（即ち、休止させる精算装置２０）に関する情報（例えば、番号等）を印刷したお会計券を発行してもよい。
【００６３】
なお、図７及び図８に示した例では、精算装置２０を休止させない場合であっても精算装置２０を休止させる場合であってもお会計券の使用は可能であるが、精算装置２０を休止させる場合にはお会計券の使用を禁止するようにしてもよい。つまり、客に、移動すべき精算装置２０（休止させる精算装置２０）を知らせたとしても、客が、移動すべき精算装置２０以外の精算装置２０に移動してしまう可能性（即ち、休止させる精算装置２０以外の精算装置２０を休止させてしまう可能性）はゼロではないため、精算装置２０を休止させる場合にはお会計券の使用を禁止するようにしてもよい。
【００６４】
図９及び図１０は、登録装置１０ａが生成、送信する登録データ等の構成例である。図９（Ａ）は、図７の小計画面（精算装置を休止させない場合の小計画面）において２０１レジボタンＢＴ２１が操作されることに基づいて、登録装置１０ａが生成、送信する登録データの内容を示している。なお、図９（Ａ）等に示した登録データは一例である。例えば、一部の情報（例えば、商品名等）を含まない登録データであってもよいし、他の情報（例えば、会員情報、ポイント情報、クレジット決済等の決済情報等）を含む登録データであってもよい。
【００６５】
図９（Ｂ）は、図８の小計画面（精算装置を休止させる場合の小計画面）において２０１レジボタンＢＴ２１が操作されることに基づいて、登録装置１０ａが生成、送信する登録データの内容を示している。図９（Ｂ）に示した登録データには、図９（Ａ）に示した登録データに対し、休止制御情報が付加されている。休止制御情報は、精算装置２０の休止を制御するための情報である。休止制御情報「ＳＴ０１」は、実行可能モード（実行可能状態）の精算装置２０を休止モード（休止状態）に制御（移行、遷移）させる休止制御情報である。図９（Ｃ）〜図９（Ｄ）、及び、図１０（Ａ）〜図１０（Ｅ）については後述する。
【００６６】
図１１は、登録装置１０ａの店員用表示部１０５に表示される登録画面における表示例である。具体的には、図１１は、図９（Ｂ）の登録データの送信後の１品目の商品の登録前の場面における登録画面の表示内容を示している。なお、図１１の登録画面の表示時において、精算装置２０ａは休止モード（休止状態）であり、精算装置２０ｂ及び精算装置２０ｃは実行可能モード（実行可能状態）であるものとする。
【００６７】
図１１の場面では２０１レジ（精算装置２０ａ）が休止モードであるため、２０１レジに対応する画像ＧＡ０１は、休止モードである旨の表示態様で表示されている。なお、図１１における破線の画像ＧＡ０１は、休止モードである旨の表示態様で表示されていることを表したものである。他図における画像ＧＡ０１についても同様である。
【００６８】
図１１の場面では、休止モードの２０１レジは、解除対象の精算装置２０に該当するものの、用紙ニアエンド状態のままであるため、２０１レジの休止を解除できないようにしている。従って、図１１に示すように、休止解除ボタンＢＴ１２を操作できないようにしている。なお、用紙ニアエンド状態のままであっても、休止を解除できるようにしてもよい。
【００６９】
図１２は、登録装置１０ａの店員用表示部１０５に表示される登録画面等における表示例である。具体的には、図１２（Ａ）は、図１１の場面に続く場面（精算装置２０ａのレシート用紙が補充された場面）における登録画面の表示内容を示している。図１２（Ｂ）は、図１２（Ａ）の場面において、休止解除ボタンＢＴ１２が操作された場合に表示される小画面（小ウィンドウ）の一例である。
【００７０】
図１２（Ａ）の場面では、２０１レジ（精算装置２０ａ）は休止モードのままであるが、用紙ニアエンド状態が解消されたため、画像ＧＡ０１については休止モードである旨の表示態様で表示されているが、画像ＧＡＹについては表示されていない。
【００７１】
図１２（Ａ）の場面では、休止モード中（解除対象）の２０１レジにおいて、用紙ニアエンド状態が解消されているため、２０１レジの休止を解除できるようにしている。従って、図１２（Ａ）に示すように、休止解除ボタンＢＴ１２を操作できるようにしている。
【００７２】
図１２（Ａ）の場面において、休止解除ボタンＢＴ１２が操作された場合には、例えば、図１２（Ｂ）に示すような小画面（小ウィンドウ）が表示される。図１２（Ｂ）において、２０１レジボタンＢＴ３１は２０１レジを指定するためボタンである。２０２レジボタンＢＴ３２は２０２レジを指定するためボタンである。２０３レジボタンＢＴ３３は２０３レジを指定するためボタンである。なお、休止モード中の２０１レジに対応する２０１レジボタンＢＴ３１については操作可能である旨の表示態様で表示し、実行可能モード中の２０２レジや２０３レジに対応する２０２レジボタンＢＴ３２や２０３レジボタンＢＴ３３については操作可能ではない旨の表示態様で表示している。
【００７３】
図１２（Ｂ）の場面において、２０１レジボタンＢＴ３１が操作された場合には、登録装置１０は、例えば、図９（Ｄ）に示すような休止制御データを生成、送信する。なお、休止制御情報「ＳＴ０９」は、休止モード（休止状態）の精算装置２０を実行可能モード（実行可能状態）に制御（移行、遷移）させる休止制御情報（即ち、休止状態を解除させる休止制御情報）である。
【００７４】
図１３は、登録装置１０ａの店員用表示部１０５に表示される登録画面における表示例である。具体的には、図１３は、図１２（Ａ）の場面に続く場面（休止解除ボタンＢＴ１２は操作されることなく商品が登録された場面）における登録画面の表示内容を示している。
【００７５】
図１３の場面では、商品が登録されているため、小計ボタンＢＴ１０を操作できるようにしている。また、図１３の場面では、休止モード中の精算装置２０（２０１レジ）は存在するものの、商品が登録されているため、休止解除ボタンＢＴ１２を操作できないようにしている。
【００７６】
図１４は、登録装置１０の店員用表示部１０５に表示される小計画面における表示例である。具体的には、図１４は、図１３の場面に続く場面（小計ボタンＢＴ１０の操作後の場面）における小計画面の表示内容を示している。
【００７７】
図１４の場面では、休止モード中の２０１レジに対応する２０１レジボタンＢＴ２１については操作可能ではない旨の表示態様で表示し、実行可能モード中の２０２レジや２０３レジに対応する２０２レジボタンＢＴ２２や２０３レジボタンＢＴ２３については操作可能である旨の表示態様で表示している。
【００７８】
図１５は、精算装置２０の表示部２０６に表示される画面の表示例である。図１５（Ａ）は、精算処理の実行開始前に表示する待機画面である。つまり、精算装置２０は、待機モード（待機状態）中には、図１５（Ａ）に示すような待機画面を表示部２０６に表示する。
【００７９】
図１５（Ｂ）は、精算処理の実行開始時に表示する支払方法選択画面である。例えば、精算装置２０は、登録データを受信した場合や、登録データの受信後に客が画面をタッチした場合には、図１５（Ｂ）に示すような支払方法選択画面を表示部２０６に表示する。図１５（Ｃ）は、図１５（Ｂ）の支払方法選択画面において、現金が選択された場合に表示する入金画面である。図１５（Ｄ）は、図１５（Ｃ）の入金画面において、おわりボタンが操作された場合に表示する釣銭画面である。図１５（Ｅ）は、図１５（Ｅ）の入金画面の表示後に、取出口から釣り銭が取り去られた場合に表示する取引終了画面である。なお、取出口の近傍にフォトセンサ等のセンサを設置し、該センサが物（客の手を想定）を認識した場合に、釣り銭が取り去られたと判定してもよい。
【００８０】
つまり、精算装置２０は、実行モード（実行状態）であるときには、精算処理の進行に応じて、図１５（Ｂ）〜図１５（Ｅ）に示すような画面を表示部２０６に表示する。
【００８１】
なお、支払方法が現金のみの場合や、既に支払方法が決定している場合（例えば取引データにおいて指定されている場合等）には、支払方法選択画面（図１５（Ｂ））を表示せずに、待機画面（図１５（Ａ））から入金画面（図１５（Ｃ））等に遷移してもよい。また、図１５（Ｄ）では「おつりをお受け取りください」というガイダンス（メッセージ）を表示しているが、お釣りの有無に応じてガイダンスの有無やガイダンスの内容を異ならせてもよい。また、お釣りが無い場合には、釣銭画面（図１５（Ｄ））を表示せずに、入金画面（図１５（Ｃ））から取引終了画面（図１５（Ｅ））に遷移してもよい。
【００８２】
図１５（Ｆ）は、休止状態であるときに表示する休止画面である。つまり、精算装置２０は、休止モード（休止状態）中には、図１５（Ｆ）に示すような休止画面を表示部２０６に表示する。
【００８３】
なお、精算装置２０は、実行可能モード（実行可能状態）の精算装置２０を休止モード（休止状態）に制御（移行、遷移）させる休止制御情報を含む登録データを受信した場合、当該登録データに基づく精算処理を実行した後に、休止モードになる。また、精算装置２０は、単体の休止制御情報（図９（Ｃ）に示すような休止制御データ）を受信した場合、単に休止モードになる。但し、前客の精算処理等を実行しているときに、単体の休止制御情報を受信した場合には、前客の精算処理等を実行した後に、休止モードになる。
【００８４】
図１６は、登録装置１０の動作の流れの一例を示すフローチャートである。図１６のフローチャートの各ステップの処理は、登録装置１０のＣＰＵ１０１によって制御される。なお、図１６のフローチャートの開始時において、登録装置１０の店員側表示部１０５には、１品目の商品が登録されていない登録画面（図５、図１１、図１２参照）が表示されているものとする。
【００８５】
ステップＳ１０１：登録装置１０は、休止ボタンＢＴ１１が押下（操作）されたか否かを判断する。休止ボタンＢＴ１１が押下された場合にはステップＳ１３０に進む。休止ボタンＢＴ１１が押下されていない場合にはステップＳ１０２に進む。
【００８６】
ステップＳ１０２：登録装置１０は、休止解除ボタンＢＴ１２が押下（操作）されたか否かを判断する。休止解除ボタンＢＴ１２が押下された場合にはステップＳ１４０に進む。休止解除ボタンＢＴ１２が押下されていない場合にはステップＳ１０３に進む。
【００８７】
ステップＳ１０３：登録装置１０は、スキャナ部１０４によって商品のバーコードがスキャン等されたか否かを判断する。スキャン等された場合にはステップＳ１０４に進む。スキャン等されていない場合にはステップＳ１０１に戻る。
ステップＳ１０４：登録装置１０は、スキャン等された商品を登録し、表示する。例えば、登録装置１０は、当該商品に関する情報（商品名、価格等）を店員用表示部１０５や客用表示部１０６に表示するとともに、当該商品に関する情報（商品コード、商品名、価格等）を登録データに反映させる情報として一時記憶する。続いてステップＳ１０５に進む。
【００８８】
ステップＳ１０５：登録装置１０は、休止ボタンＢＴ１１が押下（操作）されたか否かを判断する。休止ボタンＢＴ１１が押下された場合にはステップＳ１２０に進む。休止ボタンＢＴ１１が押下されていない場合にはステップＳ１０６に進む。
【００８９】
ステップＳ１０６：登録装置１０は、小計ボタンＢＴ１０が押下（操作）されたか否かを判断する。小計ボタンＢＴ１０が押下された場合にはステップＳ１１０に進む。小計ボタンＢＴ１０が押下されていない場合にはステップＳ１０７に進む。
【００９０】
ステップＳ１０７：登録装置１０は、スキャナ部１０４によって商品のバーコードがスキャン等されたか否かを判断する。スキャン等された場合にはステップＳ１０８に進む。スキャン等されていない場合にはステップＳ１０５に戻る。
ステップＳ１０８：登録装置１０は、スキャン等された商品を登録し、表示する。続いてステップＳ１０５に戻る。
【００９１】
ステップＳ１１０：登録装置１０は、小計ボタンＢＴ１０の押下後の小計画面において、精算装置２０の指定（選択）を受け付ける。具体的には、夫々の精算装置２０に対応するボタン（２０１レジボタンＢＴ２１、２０２レジボタンＢＴ２２、２０３レジボタンＢＴ２３）の何れかの押下を受け付ける。続いてステップＳ１１５に進む。
【００９２】
ステップＳ１１５：登録装置１０は、通常の登録データ（図９（Ａ）参照）を生成し、ステップＳ１１０において指定を受け付けた精算装置２０宛に送信する。そして、図１６のフローチャートは終了する。
【００９３】
ステップＳ１２０：登録装置１０は、休止ボタンＢＴ１１の押下後の小計画面において、精算装置２０の指定（選択）を受け付ける。具体的には、夫々の精算装置２０に対応するボタン（２０１レジボタンＢＴ２１、２０２レジボタンＢＴ２２、２０３レジボタンＢＴ２３）の何れかの押下を受け付ける。続いてステップＳ１２５に進む。
【００９４】
ステップＳ１２５：登録装置１０は、休止制御情報を含む登録データ（例えば、図９（Ｂ）に示したような休止制御情報「ＳＴ０１」を含む登録データ）を生成し、ステップＳ１２０において指定を受け付けた精算装置２０宛に送信する。そして、図１６のフローチャートは終了する。
【００９５】
ステップＳ１３０：登録装置１０は、休止ボタンＢＴ１１の押下後の小画面（小ウィンドウ）において、精算装置２０の指定（選択）を受け付ける。具体的には、夫々の精算装置２０に対応するボタン（２０１レジボタンＢＴ３１、２０２レジボタンＢＴ３２、２０３レジボタンＢＴ３３）の何れかの押下を受け付ける。続いてステップＳ１３５に進む。
【００９６】
ステップＳ１３５：登録装置１０は、休止制御情報を含む休止制御データ（例えば、図９（Ｃ）に示したような休止制御情報「ＳＴ０１」を含む休止制御データ）を生成し、ステップＳ１３０において指定を受け付けた精算装置２０宛に送信する。そして、図１６のフローチャートは終了する。
【００９７】
ステップＳ１４０：登録装置１０は、休止解除ボタンＢＴ１２の押下後の小画面（小ウィンドウ）において、精算装置２０の指定（選択）を受け付ける。具体的には、夫々の精算装置２０に対応するボタン（２０１レジボタンＢＴ３１、２０２レジボタンＢＴ３２、２０３レジボタンＢＴ３３）の何れかの押下を受け付ける。続いてステップＳ１４５に進む。
【００９８】
ステップＳ１４５：登録装置１０は、休止制御情報を含む休止制御データ（例えば、図９（Ｄ）に示したような休止制御情報「ＳＴ０９」を含む休止制御データ）を生成し、ステップＳ１４０において指定を受け付けた精算装置２０宛に送信する。そして、図１６のフローチャートは終了する。
【００９９】
図１７は、精算装置２０の動作の流れの一例を示すフローチャートである。図１７のフローチャートの各ステップの処理は、精算装置２０のＣＰＵ２０１によって制御される。なお、図１７のフローチャートの開始時において、精算装置２０の表示部２０６には、待機画面（図１５参照）が表示されているものとする。
【０１００】
ステップＳ２０１：精算装置２０は、登録データを受信したか否かを判断する。登録データを受信した場合にはステップＳ２０２に進む。登録データを受信していない場合にはステップＳ２０３に進む。
【０１０１】
ステップＳ２０２：精算装置２０は、休止制御情報を含む登録データを受信したか否かを判断する。休止制御情報を含む登録データを受信した場合にはステップＳ２２０に進む。休止制御情報を含む登録データを受信していない場合（即ち、通常の登録データを受信した場合）にはステップＳ２１０に進む。
【０１０２】
なお、休止制御情報「ＳＴ０１」は、上述したように、実行可能モード（実行可能状態）の精算装置２０を休止モード（休止状態）に制御（移行、遷移）させる休止制御情報である。従って、精算装置２０は、実行可能モードであるときには休止制御情報（休止制御情報「ＳＴ０１」）を含む登録データを受信する場合があるが、休止モードであるときには休止制御情報（休止制御情報「ＳＴ０１」）を含む登録データを受信しない。
【０１０３】
ステップＳ２０３：精算装置２０は、休止制御情報「ＳＴ０１」を含む休止制御データを受信したか否かを判断する。休止制御情報「ＳＴ０１」を含む休止制御データを受信した場合にはステップＳ２３５に進む。休止制御情報「ＳＴ０１」を含む休止制御データを受信していない場合にはステップＳ２０４に進む。
【０１０４】
ステップＳ２０４：精算装置２０は、休止制御情報「ＳＴ０９」を含む休止制御データを受信したか否かを判断する。休止制御情報「ＳＴ０９」を含む休止制御データを受信した場合にはステップＳ２４５に進む。休止制御データを受信していない場合にはステップＳ２０１に戻る。
【０１０５】
なお、休止制御情報「ＳＴ０９」は、上述したように、休止モード（休止状態）の精算装置２０を実行可能モード（実行可能状態）に制御（移行、遷移）させる休止制御情報である。従って、精算装置２０は、休止モードであるときには休止制御情報（休止制御情報「ＳＴ０９」）を含む休止制御データを受信する場合があるが、実行可能モードであるときには休止制御情報（休止制御情報「ＳＴ０９」）を含む休止制御データを受信しない。
【０１０６】
ステップＳ２１０：精算装置２０は、ステップＳ２０１において受信した登録データ（休止制御情報を含まない登録データ）に基づいて精算（預り金の計上、釣り銭の算出、釣り銭の放出、レシートの発行等。図１５（Ｂ）〜図１５（Ｅ）参照）を実行する。そして、図１７のフローチャートは終了する。
【０１０７】
ステップＳ２２０：精算装置２０は、ステップＳ２０１において受信した登録データ（休止制御情報を含む登録データ）に基づいて精算（預り金の計上、釣り銭の算出、釣り銭の放出、レシートの発行等。図１５（Ｂ）〜図１５（Ｅ）参照）を実行する。続いてステップＳ２２５に進む。
ステップＳ２２５：精算装置２０は、休止モード（休止状態）になる（図１５（Ｆ）参照）。そして、図１７のフローチャートは終了する。
【０１０８】
ステップＳ２３５：精算装置２０は、休止モード（休止状態）になる（図１５（Ｆ）参照）。そして、図１７のフローチャートは終了する。
【０１０９】
ステップＳ２４５：精算装置２０は、休止モードを解除する。つまり、実行可能モード（実行可能状態）になる。そして、図１７のフローチャートは終了する。
【０１１０】
図１８は、登録装置１０及び精算装置２０の動作の流れの一例を示すフローチャートである。図１８（Ａ）は、精算装置２０が用紙ニアエンド状態になったときの動作の一例を示すフローチャートである。図１８のフローチャートの開始時において、精算装置２０は用紙ニアエンド状態になっているものとする。
【０１１１】
ステップＳ１：精算装置２０は、レシート用紙のニアエンドを検出する。
ステップＳ２：精算装置２０は、自装置が用紙ニアエンド状態である旨の情報（用紙ニアエンド情報）を登録装置１０に送信する。なお、既に、用紙ニアエンド情報を送信している場合には処理を省略してもよい。
【０１１２】
ステップＳ３：登録装置１０は、精算装置２０が送信した用紙ニアエンド情報を受信する。
ステップＳ４：登録装置１０は、当該精算装置２０が用紙ニアエンド状態である旨を記憶する。また、登録装置１０は、当該精算装置２０が用紙ニアエンド状態である旨を表示する。例えば、画像ＧＡＹ（図５等参照）により表示する。そして、図１８（Ａ）のフローチャートは終了する。
【０１１３】
なお、図１８（Ａ）は、精算装置２０が用紙ニアエンド状態になったときの動作を示しているが、精算装置２０（釣銭機２１２）の釣り銭がニアエンドの状態（釣銭ニアエンド状態）やニアフル（釣銭ニアフル）になったときの動作についても同様である。
【０１１４】
図１８（Ｂ）は、精算装置２０が用紙ニアエンド状態であるか否かに応じて、種類の異なる休止制御情報を送信する態様における動作の一例を示すフローチャートである。なお、図１８（Ｂ）に示した登録装置１０の動作は、図１６のフローチャートにおける商品登録後の休止ボタン押下後（ステップＳ１０５（ＹＥＳ）の後）に続く動作を示している。また、図１８（Ｂ）に示した精算装置２０の動作は、図１７のフローチャートにおけるステップＳ２２０の処理に続く動作を示している。
【０１１５】
ステップＳ１２０：登録装置１０は、休止ボタンＢＴ１１の押下後の小計画面において、精算装置２０の指定（選択）を受け付ける。続いてステップＳ１２１Ａに進む。
【０１１６】
ステップＳ１２１Ａ：登録装置１０は、ステップＳ１２０において指定を受け付けた精算装置２０が用紙ニアエンド状態であるか否かを判断する。用紙ニアエンド状態である場合にはステップＳ１２６Ａに進む。用紙ニアエンド状態でない場合にはステップＳ１２５に進む。
【０１１７】
ステップＳ１２５：登録装置１０は、図９（Ｂ）に示したような休止制御情報「ＳＴ０１」を含む登録データを生成し、ステップＳ１２０において指定を受け付けた精算装置２０宛に送信する。
【０１１８】
ステップＳ１２６Ａ：登録装置１０は、図１０（Ａ）に示したような休止制御情報「ＳＴ０２」を含む登録データを生成し、ステップＳ１２０において指定を受け付けた精算装置２０宛に送信する。
【０１１９】
図１０（Ａ）に示した登録データは、一部の図示を省略している。図１０（Ａ）に示した休止制御情報「ＳＴ０２」は、図９（Ｂ）に示した休止制御情報「ＳＴ０１」と同様、実行可能モード（実行可能状態）の精算装置２０を休止モード（休止状態）に制御（移行、遷移）させる休止制御情報であるが、休止の理由（用紙ニアエンドの休止）について示されている点が、休止制御情報「ＳＴ０１」とは異なる。
【０１２０】
ステップＳ２２１Ａ：精算装置２０は、用紙ニアエンド状態の休止であるか否かを判断する。用紙ニアエンド状態の休止である場合にはステップＳ２２６Ａに進む。用紙ニアエンド状態の休止でない場合にはステップＳ２２５に進む。つまり、精算装置２０は、休止制御情報「ＳＴ０１」を含む登録データを受信している場合にはステップＳ２２５に進み、休止制御情報「ＳＴ０２」を含む登録データを受信している場合にはステップＳ２２６Ａに進む。
【０１２１】
ステップＳ２２５：精算装置２０は、休止モード（休止状態）になる（図１５（Ｆ）参照）。そして、図１８（Ｂ）のフローチャートは終了する。
【０１２２】
ステップＳ２２６Ａ：精算装置２０は、休止モード（休止状態）になる。なお、休止モードにおける表示部２０６の表示は、ステップＳ２２５における表示と同一であってもよいし、例えば、「休止中（レシート用紙補充）」などといった休止の理由（用紙ニアエンドの休止）に対応する文言を表示するものであってもよい。続いてステップＳ２２７Ａに進む。
【０１２３】
ステップＳ２２７Ａ：精算装置２０は、自装置が用紙ニアエンド状態のため休止モードとなった旨を報知する。例えば、精算装置２０は、他の装置（登録データを送信した登録装置１０、登録データを送信した登録装置１０とは異なる登録装置１０、監視装置４０等）に、自装置が用紙ニアエンド状態のため休止モードとなった旨の情報を送信する。上記に代えて又は加えて、精算装置２０は、自装置が用紙ニアエンド状態のため休止モードとなった旨を、サインポール２１３を用いて報知してもよい。例えば、自装置が用紙ニアエンド状態のため休止モードとなったときの表示態様として予め定められた表示態様でサインポール２１３を表示してもよい。そして、図１８（Ｂ）のフローチャートは終了する。
【０１２４】
なお、図１８（Ｂ）のフローチャートは、図１６のフローチャートにおける商品登録後の休止ボタン押下後（ステップＳ１０５（ＹＥＳ）の後）に続く動作であるが、図１６のフローチャートにおける商品登録前の休止ボタン押下後（ステップＳ１０１（ＹＥＳ）の後）に続く動作についても簡単に説明する。
【０１２５】
登録装置１０は、休止ボタンＢＴ１１の押下後の小画面において、精算装置２０の指定（選択）を受け付ける（図１６のステップＳ１３０に相当）。続いて、登録装置１０は、指定を受け付けた精算装置２０が用紙ニアエンド状態であるか否かを判断する。登録装置１０は、用紙ニアエンド状態でない場合には、図９（Ｃ）に示したような休止制御情報「ＳＴ０１」を含む休止制御データを生成し、指定を受け付けた精算装置２０宛に送信する（図１６のステップＳ１３５に相当）。登録装置１０は、用紙ニアエンド状態である場合には、休止制御情報「ＳＴ０２（用紙ニアエンドの休止）」を含む休止制御データ（不図示）を生成し、指定を受け付けた精算装置２０宛に送信する。一方、精算装置２０は、休止制御情報「ＳＴ０１」を含む休止制御データを受信した場合、休止モードになる（図１８（Ｂ）のステップＳ２２５に相当）。また、精算装置２０は、休止制御情報「ＳＴ０２」を含む休止制御データを受信した場合には、休止モードになるとともに（図１８（Ｂ）のステップＳ２２６Ａに相当）、用紙ニアエンド状態のため休止モードとなった旨を報知する（図１８（Ｂ）のステップＳ２２７Ａに相当）。
【０１２６】
図１９は、登録装置１０及び精算装置２０の動作の流れの一例を示すフローチャートである。具体的には、図１９は、精算装置２０が釣銭ニアフル状態であるか否かに応じて、種類の異なる休止制御情報を送信する態様における動作の一例を示すフローチャートである。なお、図１９に示した登録装置１０の動作は、図１６のフローチャートにおける商品登録後の休止ボタン押下後（ステップＳ１０５（ＹＥＳ）の後）に続く動作を示している。また、図１９に示した精算装置２０の動作は、図１７のフローチャートにおけるステップＳ２２０の処理に続く動作を示している。
【０１２７】
ステップＳ１２０：登録装置１０は、休止ボタンＢＴ１１の押下後の小計画面において、精算装置２０の指定（選択）を受け付ける。続いてステップＳ１２１Ｂに進む。
【０１２８】
ステップＳ１２１Ｂ：登録装置１０は、ステップＳ１２０において指定を受け付けた精算装置２０が、釣銭ニアフル状態を解消する貨幣の出金元であるか否かを判断する。つまり、登録装置１０は、釣銭ニアフル状態の精算装置２０が、ステップＳ１２０において指定されたか否かを判断する。出金元である場合にはステップＳ１２６Ｂに進む。出金元でない場合にはステップＳ１２５に進む。
【０１２９】
ステップＳ１２５：登録装置１０は、図９（Ｂ）に示したような休止制御情報「ＳＴ０１」を含む登録データを生成し、ステップＳ１２０において指定を受け付けた精算装置２０宛に送信する。
【０１３０】
ステップＳ１２６Ｂ：登録装置１０は、図１０（Ｂ）に示したような休止制御情報「ＳＴ０３」を含む登録データを生成し、ステップＳ１２０において指定を受け付けた精算装置２０宛に送信する。
【０１３１】
図１０（Ｂ）に示した登録データは、一部の図示を省略している。図１０（Ｂ）に示した休止制御情報「ＳＴ０３」は、図９（Ｂ）に示した休止制御情報「ＳＴ０１」と同様、実行可能モード（実行可能状態）の精算装置２０を休止モード（休止状態）に制御（移行、遷移）させる休止制御情報であるが、休止の理由（釣銭ニアフル（出金）の休止）について示されている点が、休止制御情報「ＳＴ０１」とは異なる。「ＳＴ０３（釣銭ニアフル（出金）の休止）」とは、自装置における釣銭ニアフル解消のため、当該自装置から貨幣を出金するための休止である。釣銭ニアフル解消のため出金した貨幣は、他の精算装置２０等に入金されることになるため、休止制御情報「ＳＴ０３」を含む登録データは、図１０（Ｂ）に示すように、釣銭ニアフルの解消のために出金した貨幣の入金先の精算装置２０等を示す情報（レジ番号等）を含んでいてもよい。
【０１３２】
なお、ＰＯＳシステム１では、各精算装置２０の貨幣種毎の保持枚数に基づいて、釣銭ニアフル状態や釣銭ニアフル状態を解消させるために、各精算装置２０の貨幣種毎の保持枚数に基づいて、精算装置２０間等における貨幣の移動（出金、入金）について決定している。例えば、ＰＯＳシステム１では、各精算装置２０の貨幣種毎の保持枚数に基づいて、釣銭ニアフル状態の精算装置２０から出金（放出）させる貨幣種毎の枚数や、当該釣銭ニアフル状態の精算装置２０から出金された貨幣を入金（投入）する入金先（他の精算装置２０等）を決定している。また、ＰＯＳシステム１では、各精算装置２０の貨幣種毎の保持枚数に基づいて、釣銭ニアエンド状態の精算装置２０に入金させる貨幣種毎の枚数や、当該釣銭ニアエンド状態の精算装置２０に入金させる貨幣を出金する出金元（他の精算装置２０等）を決定している。
【０１３３】
上述した貨幣の移動に関する決定（貨幣種毎の移動枚数の決定、移動元、移動先の決定）は、登録装置１０が行ってもよいし、監視装置４０が行ってもよい。例えば、登録装置１０は、当該登録装置１０において決定した決定情報（貨幣種毎の移動枚数、移動元、移動先）に基づいて、又は、他の装置（監視装置４０、他の登録装置１０）において決定され該他の装置から取得した決定情報に基づいて、例えば図１０（Ｂ）に示した入金先をセットすればよい。
【０１３４】
ステップＳ２２１Ｂ：精算装置２０は、釣銭ニアフル（出金）の休止であるか否かを判断する。釣銭ニアフル（出金）の休止である場合にはステップＳ２２６Ｂに進む。釣銭ニアフル（出金）の休止でない場合にはステップＳ２２５に進む。つまり、精算装置２０は、休止制御情報「ＳＴ０１」を含む登録データを受信している場合にはステップＳ２２５に進み、休止制御情報「ＳＴ０３」を含む登録データを受信している場合にはステップＳ２２６Ｂに進む。
【０１３５】
ステップＳ２２５：精算装置２０は、休止モード（休止状態）になる（図１５（Ｆ）参照）。そして、図１９のフローチャートは終了する。
【０１３６】
ステップＳ２２６Ｂ：精算装置２０は、休止モード（休止状態）になる。なお、休止モードにおける表示部２０６の表示は、ステップＳ２２５における表示と同一であってもよいし、例えば、「休止中（釣り銭のメンテナンス（出金））」などといった休止の理由（釣銭ニアフル（出金）の休止）に対応する文言を表示するものであってもよい。続いてステップＳ２２７Ｂに進む。
【０１３７】
ステップＳ２２７Ｂ：精算装置２０は、釣銭ニアフル（出金）のため（つまり自装置の釣銭ニアフル状態を解消させるため自装置から貨幣を出金させるため）休止モードとなった旨を報知する。例えば、精算装置２０は、他の装置（登録データを送信した登録装置１０、登録データを送信した登録装置１０とは異なる登録装置１０、監視装置４０等）に、釣銭ニアフル（出金）のため休止モードとなった旨の情報を送信する。上記に代えて又は加えて、精算装置２０は、釣銭ニアフル（出金）のため休止モードとなった旨を、サインポール２１３を用いて報知してもよい。例えば、釣銭ニアフル（出金）のため休止モードとなったときの表示態様として予め定められた表示態様でサインポール２１３を表示してもよい。そして、図１９のフローチャートは終了する。
【０１３８】
なお、図１９のフローチャートは、図１６のフローチャートにおける商品登録後の休止ボタン押下後（ステップＳ１０５（ＹＥＳ）の後）に続く動作であるが、図１６のフローチャートにおける商品登録前の休止ボタン押下後（ステップＳ１０１（ＹＥＳ）の後）に続く動作についても簡単に説明する。
【０１３９】
登録装置１０は、休止ボタンＢＴ１１の押下後の小画面において、精算装置２０の指定（選択）を受け付ける（図１６のステップＳ１３０に相当）。続いて、登録装置１０は、指定を受け付けた精算装置２０が釣銭ニアフル状態を解消する貨幣の出金元であるか否かを判断する。登録装置１０は、釣銭ニアフル状態を解消する貨幣の出金元でない場合には、図９（Ｃ）に示したような休止制御情報「ＳＴ０１」を含む休止制御データを生成し、指定を受け付けた精算装置２０宛に送信する（図１６のステップＳ１３５に相当）。登録装置１０は、釣銭ニアフル状態を解消する貨幣の出金元である場合には、休止制御情報「ＳＴ０３（釣銭ニアフル（出金）の休止）」を含む休止制御データ（不図示）を生成し、指定を受け付けた精算装置２０宛に送信する。一方、精算装置２０は、休止制御情報「ＳＴ０１」を含む休止制御データを受信した場合、休止モードになる（図１９のステップＳ２２５に相当）。また、精算装置２０は、休止制御情報「ＳＴ０３」を含む休止制御データを受信した場合には、休止モードになるとともに（図１９のステップＳ２２６Ｂに相当）、釣銭ニアフル（出金）のため休止モードとなった旨を報知する（図１９のステップＳ２２７Ｂに相当）。
【０１４０】
図２０は、登録装置１０及び精算装置２０の動作の流れの一例を示すフローチャートである。具体的には、図２０は、精算装置２０が釣銭ニアエンド状態であるか否かに応じて、種類の異なる休止制御情報を送信する態様における動作の一例を示すフローチャートである。なお、図２０に示した登録装置１０の動作は、図１６のフローチャートにおける商品登録後の休止ボタン押下後（ステップＳ１０５（ＹＥＳ）の後）に続く動作を示している。また、図２０に示した精算装置２０の動作は、図１７のフローチャートにおけるステップＳ２２０の処理に続く動作を示している。
【０１４１】
ステップＳ１２０：登録装置１０は、休止ボタンＢＴ１１の押下後の小計画面において、精算装置２０の指定（選択）を受け付ける。続いてステップＳ１２１Ｃに進む。
【０１４２】
ステップＳ１２１Ｃ：登録装置１０は、ステップＳ１２０において指定を受け付けた精算装置２０が、釣銭ニアエンド状態を解消する貨幣の出金元であるか否かを判断する。つまり、登録装置１０は、釣銭ニアエンド状態の他の精算装置２０に入金させる貨幣を出金する精算装置２０が、ステップＳ１２０において指定されたか否かを判断する。出金元である場合にはステップＳ１２６Ｃに進む。出金元でない場合にはステップＳ１２５に進む。
【０１４３】
ステップＳ１２５：登録装置１０は、図９（Ｂ）に示したような休止制御情報「ＳＴ０１」を含む登録データを生成し、ステップＳ１２０において指定を受け付けた精算装置２０宛に送信する。
【０１４４】
ステップＳ１２６Ｃ：登録装置１０は、図１０（Ｃ）に示したような休止制御情報「ＳＴ０４」を含む登録データを生成し、ステップＳ１２０において指定を受け付けた精算装置２０宛に送信する。
【０１４５】
図１０（Ｃ）に示した登録データは、一部の図示を省略している。図１０（Ｃ）に示した休止制御情報「ＳＴ０４」は、図９（Ｂ）に示した休止制御情報「ＳＴ０１」と同様、実行可能モード（実行可能状態）の精算装置２０を休止モード（休止状態）に制御（移行、遷移）させる休止制御情報であるが、休止の理由（釣銭ニアエンド（出金）の休止）について示されている点が、休止制御情報「ＳＴ０１」とは異なる。「ＳＴ０４（釣銭ニアエンド（出金）の休止）」とは、他装置における釣銭ニアエンド解消のため、当該他装置へ入金する貨幣を出金するための休止である。出金した貨幣は、釣銭ニアエンドとなっている他の精算装置２０に入金されることになるため、休止制御情報「ＳＴ０４」を含む登録データは、図１０（Ｃ）に示すように、入金先の精算装置２０（釣銭ニアエンド状態の精算装置２０）を示す情報（レジ番号等）を含んでいてもよい。
【０１４６】
ステップＳ２２１Ｃ：精算装置２０は、釣銭ニアエンド（出金）の休止であるか否かを判断する。釣銭ニアフル（出金）の休止である場合にはステップＳ２２６Ｃに進む。釣銭ニアフル（出金）の休止でない場合にはステップＳ２２５に進む。つまり、精算装置２０は、休止制御情報「ＳＴ０１」を含む登録データを受信している場合にはステップＳ２２５に進み、休止制御情報「ＳＴ０４」を含む登録データを受信している場合にはステップＳ２２６Ｃに進む。
【０１４７】
ステップＳ２２５：精算装置２０は、休止モード（休止状態）になる（図１５（Ｆ）参照）。そして、図２０のフローチャートは終了する。
【０１４８】
ステップＳ２２６Ｃ：精算装置２０は、休止モード（休止状態）になる。なお、休止モードにおける表示部２０６の表示は、ステップＳ２２５における表示と同一であってもよいし、例えば、「休止中（釣り銭のメンテナンス（出金））」などといった休止の理由（釣銭ニアエンド（出金）の休止）に対応する文言を表示するものであってもよい。続いてステップＳ２２７Ｃに進む。
【０１４９】
ステップＳ２２７Ｃ：精算装置２０は、釣銭ニアエンド（出金）のため（つまり釣銭ニアエンド状態の他装置に入金させる貨幣を出金させるため）休止モードとなった旨を報知する。例えば、精算装置２０は、他の装置（登録データを送信した登録装置１０、監視装置４０等）に、釣銭ニアエンド（出金）のため休止モードとなった旨の情報を送信する。上記に代えて又は加えて、精算装置２０は、釣銭ニアエンド（出金）のため休止モードとなった旨を、サインポール２１３を用いて報知してもよい。例えば、釣銭ニアエンド（出金）のため休止モードとなったときの表示態様として予め定められた表示態様でサインポール２１３を表示してもよい。そして、図２０のフローチャートは終了する。
【０１５０】
なお、図２０のフローチャートは、図１６のフローチャートにおける商品登録後の休止ボタン押下後（ステップＳ１０５（ＹＥＳ）の後）に続く動作であるが、図１６のフローチャートにおける商品登録前の休止ボタン押下後（ステップＳ１０１（ＹＥＳ）の後）に続く動作についても簡単に説明する。
【０１５１】
登録装置１０は、休止ボタンＢＴ１１の押下後の小画面において、精算装置２０の指定（選択）を受け付ける（図１６のステップＳ１３０に相当）。続いて、登録装置１０は、指定を受け付けた精算装置２０が釣銭ニアエンド状態を解消する貨幣の出金元であるか否かを判断する（図２０のステップＳ１２１Ｃに相当）。登録装置１０は、釣銭ニアエンド状態を解消する貨幣の出金元でない場合には、図９（Ｃ）に示したような休止制御情報「ＳＴ０１」を含む休止制御データを生成し、指定を受け付けた精算装置２０宛に送信する（図１６のステップＳ１３５に相当）。登録装置１０は、釣銭ニアエンド状態を解消する貨幣の出金元である場合には、休止制御情報「ＳＴ０４（釣銭ニアエンド（出金）の休止）」を含む休止制御データ（不図示）を生成し、指定を受け付けた精算装置２０宛に送信する。一方、精算装置２０は、休止制御情報「ＳＴ０１」を含む休止制御データを受信した場合、休止モードになる（図２０のステップＳ２２５に相当）。また、精算装置２０は、休止制御情報「ＳＴ０４」を含む休止制御データを受信した場合には、休止モードになるとともに（図２０（Ｂ）のステップＳ２２６Ｃに相当）、釣銭ニアフル（出金）のため休止モードとなった旨を報知する（図２０のステップＳ２２７Ｃに相当）。
【０１５２】
図２１は、２台の精算装置２０の動作の流れの一例を示すフローチャートである。具体的には、図２１は、休止制御情報「ＳＴ０３（釣銭ニアフル（出金）の休止）」を含む登録データ（図１０（Ｂ））を受信した釣銭ニアフル状態の精算装置２０（図２１において精算装置２０ａとする）における動作の一例を示すフローチャートである。なお、図２１に示した精算装置２０ａの動作は、図１９のフローチャートにおける休止の報知（ステップＳ２２７Ｂ）に続く動作を示している。
【０１５３】
なお、図２１において、精算装置２０ｂは、精算装置２０ａから出金された貨幣（釣銭ニアフル状態である精算装置２０ａが当該釣銭ニアフル状態の解消のために自装置から出金した貨幣）を入金する入金先の精算装置２０である。即ち、精算装置２０ｂは、休止制御情報「ＳＴ０３」を含む登録データ（図１０（Ｂ））によって示される入金先の精算装置２０である。
【０１５４】
ステップＳ２５０Ｂ：精算装置２０ａ（釣銭ニアフル状態の精算装置２０）は、店員の操作等に応じて、貨幣を出金する。これにより、精算装置２０ａにおける、釣銭ニアフル状態は解消される。続いてステップＳ２５２Ｂに進む。
ステップＳ２５２Ｂ：精算装置２０ａは、休止モードを解除する。つまり、実行可能モード（実行可能状態）になる。続いてステップＳ２５４Ｂに進む。
【０１５５】
ステップＳ２５４Ｂ：精算装置２０ａは、図１０（Ｄ）に示したような休止制御情報「ＳＴ０５」を含む休止制御データを生成し、入金先の精算装置２０ｂ宛に送信する。
【０１５６】
図１０（Ｄ）に示した休止制御データに含まれる休止制御情報「ＳＴ０５」は、図９（Ｂ）に示した休止制御情報「ＳＴ０１」と同様、実行可能モード（実行可能状態）の精算装置２０を休止モード（休止状態）に制御（移行、遷移）させる休止制御情報であるが、休止の理由（釣銭ニアフル（入金）の休止）について示されている点が、休止制御情報「ＳＴ０１」とは異なる。「ＳＴ０５（釣銭ニアフル（入金）の休止）」とは、他装置における釣銭ニアフル解消のため、当該他装置から出金された貨幣を入金するための休止である。
【０１５７】
ステップＳ２５６Ｂ：精算装置２０ｂは、休止モード（休止状態）になる。精算処理の実行中であった場合には、精算処理の終了後に休止モードになる。なお、休止モードにおける表示部２０６の表示は、ステップＳ２２５における表示と同一であってもよいし、例えば、「休止中（釣り銭のメンテナンス（入金））」などといった休止の理由（釣銭ニアフル（入金）の休止）に対応する文言を表示するものであってもよい。続いてステップＳ２５８Ｂに進む。
【０１５８】
ステップＳ２５８Ｂ：精算装置２０ｂは、釣銭ニアフル（入金）のため休止モードとなった旨を報知する。例えば、精算装置２０ｂは、他の装置（登録装置１０、監視装置４０等）に、釣銭ニアフル（入金）のため休止モードとなった旨を報知する。上記に代えて又は加えて、精算装置２０ｂは、釣銭ニアフル（入金）のため休止モードとなった旨を、サインポール２１３を用いて報知してもよい。例えば、釣銭ニアフル（入金）のため休止モードとなったときの表示態様として予め定められた表示態様でサインポール２１３を表示してもよい。そして、図２１のフローチャートは終了する。
【０１５９】
なお、図２１のステップＳ２５０Ｂにおける出金は、既に決定している決定情報（貨幣種毎の出金枚数）に基づいて実行してもよい。例えば、登録装置１０から精算装置２０ａに、登録データ（図１９のステップＳ１２６Ｂにおいて送信される休止制御情報「ＳＴ０３」を含む登録データ）とともに上記の決定情報を送信し、精算装置２０ａにおける店員の操作に応じて（又は操作によらずに）、登録データとともに受信した決定情報に基づいて出金を実行してもよい。なお、登録装置１０から精算装置２０ａに送信される登録データ（図１９のステップＳ１２６Ｂにおいて送信される休止制御情報「ＳＴ０３」を含む登録データ）に上記の決定情報を含めるようにしてもよい。また例えば、紙媒体を用いて、精算装置２０ａに上記の決定情報を供給してもよい。具体的には、他の装置（例えば、休止制御情報「ＳＴ０３」を含む登録データを送信する登録装置１０）が、上記の決定情報をコード化（バーコード化）して印刷した出金媒体（出金伝票）を発行し、当該出金媒体に印刷されているコード情報を精算装置２０ａに読み取らせることにより、精算装置２０ａは、読み取った決定情報に基づいて出金を実行してもよい。
【０１６０】
また、図２１のステップＳ２５８Ｂ以降に行わる精算装置２０ｂにおける入金は、既に決定している決定情報（貨幣種毎の入金枚数）に基づいて実行してもよい。例えば、精算装置２０ａから精算装置２０ｂに、休止制御データ（図２１のステップＳ２５４Ｂにおいて送信される休止制御情報「ＳＴ０５」を含む休止制御データ）とともに上記の決定情報を送信し、精算装置２０ｂにおける店員の操作に応じて（又は操作によらずに）、休止制御データとともに受信した決定情報に基づいて入金（投入すべき金額が実際に投入されたかの検証等）を実行してもよい。なお、精算装置２０ａから精算装置２０ｂに送信される休止制御データ（図２１のステップＳ２５４Ｂにおいて送信される休止制御情報「ＳＴ０５」を含む休止制御データ）に上記の決定情報を含めるようにしてもよい。また例えば、紙媒体を用いて、精算装置２０ｂに上記の決定情報を供給してもよい。具体的には、精算装置２０ａが、上記の決定情報をコード化（バーコード化）して印刷した入金媒体（入金伝票）を発行し、当該入金媒体に印刷されているコード情報を精算装置２０ｂに読み取らせることにより、精算装置２０ｂは、読み取った決定情報に基づいて入金を実行してもよい。
【０１６１】
図２２は、２台の精算装置２０の動作の流れの一例を示すフローチャートである。具体的には、図２２は、休止制御情報「ＳＴ０４（釣銭ニアエンド（出金）の休止）」を含む登録データ（図１０（Ｃ））を受信した精算装置２０（図２２において精算装置２０ａとする）における動作の一例を示すフローチャートである。なお、図２２に示した精算装置２０ａの動作は、図２０のフローチャートにおける休止の報知（ステップＳ２２７Ｃ）に続く動作を示している。
【０１６２】
なお、図２２において、精算装置２０ｂは、釣銭ニアエンド状態である精算装置２０である。精算装置２０ｂには、当該精算装置２０ｂの釣銭ニアフル状態の解消のために精算装置２０ａから出金された貨幣が入金される。
【０１６３】
ステップＳ２５０Ｃ：精算装置２０ａは、店員の操作等に応じて、貨幣を出金する。続いてステップＳ２５２Ｃに進む。
ステップＳ２５２Ｃ：精算装置２０ａは、休止モードを解除する。つまり、実行可能モード（実行可能状態）になる。続いてステップＳ２５４Ｃに進む。
【０１６４】
ステップＳ２５４Ｃ：精算装置２０ａは、図１０（Ｅ）に示したような休止制御情報「ＳＴ０６」を含む休止制御データを生成し、入金先（釣銭ニアエンド状態）の精算装置２０ｂ宛に送信する。
【０１６５】
図１０（Ｅ）に示した休止制御データに含まれる休止制御情報「ＳＴ０６」は、図９（Ｂ）に示した休止制御情報「ＳＴ０１」と同様、実行可能モード（実行可能状態）の精算装置２０を休止モード（休止状態）に制御（移行、遷移）させる休止制御情報であるが、休止の理由（釣銭ニアエンド（入金）の休止）について示されている点が、休止制御情報「ＳＴ０１」とは異なる。「ＳＴ０６（釣銭ニアエンド（入金）の休止）」とは、自装置における釣銭ニアエンド解消のため、他装置から出金された貨幣を入金するための休止である。
【０１６６】
ステップＳ２５６Ｃ：精算装置２０ｂは、休止モード（休止状態）になる。精算処理の実行中であった場合には、精算処理の終了後に休止モードになる。なお、休止モードにおける表示部２０６の表示は、ステップＳ２２５における表示と同一であってもよいし、例えば、「休止中（釣り銭のメンテナンス（入金））」などといった休止の理由（釣銭ニアエンド（入金）の休止）に対応する文言を表示するものであってもよい。続いてステップＳ２５８Ｃに進む。
【０１６７】
ステップＳ２５８Ｃ：精算装置２０ｂは、釣銭ニアエンド（入金）のため休止モードとなった旨を報知する。例えば、精算装置２０ｂは、他の装置（登録装置１０、監視装置４０等）に、釣銭ニアエンド（入金）のため休止モードとなった旨の情報を送信する。上記に代えて又は加えて、精算装置２０ｂは、釣銭ニアエンド（入金）のため休止モードとなった旨を、サインポール２１３を用いて報知してもよい。例えば、釣銭ニアエンド（入金）のため休止モードとなったときの表示態様として予め定められた表示態様でサインポール２１３を表示してもよい。そして、図２２のフローチャートは終了する。
【０１６８】
なお、図２２のステップＳ２５０Ｃにおける出金は、既に決定している決定情報（貨幣種毎の出金枚数）に基づいて実行してもよい。例えば、登録装置１０から精算装置２０ａに、登録データ（図２０のステップＳ１２６Ｃにおいて送信される休止制御情報「ＳＴ０４」を含む登録データ）とともに上記の決定情報を送信し、精算装置２０ａにおける店員の操作に応じて（又は操作によらずに）、登録データとともに受信した決定情報に基づいて出金を実行してもよい。なお、登録装置１０から精算装置２０ａに送信される登録データ（図２０のステップＳ１２６Ｃにおいて送信される休止制御情報「ＳＴ０４」を含む登録データ）に上記の決定情報を含めるようにしてもよい。また例えば、紙媒体を用いて、精算装置２０ａに上記の決定情報を供給してもよい。具体的には、他の装置（例えば、休止制御情報「ＳＴ０４」を含む登録データを送信する登録装置１０）が、上記の決定情報をコード化（バーコード化）して印刷した出金媒体（出金伝票）を発行し、当該出金媒体に印刷されているコード情報を精算装置２０ａに読み取らせることにより、精算装置２０ａは、読み取った決定情報に基づいて出金を実行してもよい。
【０１６９】
また、図２２のステップＳ２５８Ｃ以降に行わる精算装置２０ｂにおける入金は、既に決定している決定情報（貨幣種毎の入金枚数）に基づいて実行してもよい。例えば、精算装置２０ａから精算装置２０ｂに、休止制御データ（図２２のステップＳ２５４Ｃにおいて送信される休止制御情報「ＳＴ０６」を含む休止制御データ）とともに上記の決定情報を送信し、精算装置２０ｂにおける店員の操作に応じて（又は操作によらずに）、休止制御データとともに受信した決定情報に基づいて入金を実行してもよい。なお、精算装置２０ａから精算装置２０ｂに送信される休止制御データ（図２２のステップＳ２５４Ｃにおいて送信される休止制御情報「ＳＴ０６」を含む休止制御データ）に上記の決定情報を含めるようにしてもよい。また例えば、紙媒体を用いて、精算装置２０ｂに上記の決定情報を供給してもよい。具体的には、精算装置２０ａが、上記の決定情報をコード化（バーコード化）して印刷した入金媒体（入金伝票）を発行し、当該入金媒体に印刷されているコード情報を精算装置２０ｂに読み取らせることにより、精算装置２０ｂは、読み取った決定情報に基づいて入金を実行してもよい。
【０１７０】
（休止予告情報等）
登録装置１０は、休止モードに制御する休止制御情報を含むデータ（例えば、図９（Ｂ）の休止制御情報「ＳＴ０１」を含む登録データ、図９（Ｃ）の休止制御情報「ＳＴ０１」を含む休止制御データ、図１０（Ａ）の休止制御情報「ＳＴ０２」を含む登録データ、不図示の休止制御情報「ＳＴ０２」を含む休止制御データ、図１０（Ｂ）の休止制御情報「ＳＴ０３」を含む登録データ、不図示の休止制御情報「ＳＴ０３」を含む休止制御データ、図１０（Ｃ）の休止制御情報「ＳＴ０４」を含む登録データ、不図示の休止制御情報「ＳＴ０４」を含む休止制御データ等）を精算装置２０に送信するときには、当該精算装置２０が休止となる旨を予告する情報（休止予告情報）を他の装置に送信してもよい。例えば、登録装置１０ａは、精算装置２０ａに休止制御情報「ＳＴ０１」を含む登録データを送信した後（又は前）に、精算装置２０ａが休止となる旨の休止予告情報を登録装置１０ｂ宛に送信してもよい。これにより、休止予告情報を受信した登録装置１０ｂは、精算装置２０ａが精算処理の実行後に休止モードとなることを認識することができる。
【０１７１】
休止予告情報を受信した登録装置１０（上記例の登録装置１０ｂ）は、該当する精算装置２０（上記例の精算装置２０ａ）の状態（図５等の画像ＧＡ０１）を、「精算処理の終了後には休止モードになる旨の表示態様（休止予告の表示態様）」で表示してもよい。なお、当該精算装置２０（上記例の精算装置２０ａ）が精算処置の終了後に休止モードになった場合には、当該精算装置２０から休止モードになった旨の情報が各登録装置１０に送信されるため、登録装置１０（上記例の登録装置１０ｂ）は、当該精算装置２０（上記例の精算装置２０ａ）の状態を、休止モードである旨の表示態様で表示する。つまり、休止予告情報を受信したときに精算装置２０（上記例の精算装置２０ａ）の状態（画像ＧＡ０１）を休止予告の表示態様で表示していた場合には、後に、休止モードになった旨の情報を受信したときに、上記状態を休止予告の表示態様から休止モードである旨の表示態様に切り替える。
【０１７２】
また、休止制御情報を含む登録データを受信した精算装置２０は、暫くしたら（精算処理の終了後には）、結局、休止モードになる。従って、休止制御情報を含む登録データを受信した精算装置２０（上記例の精算装置２０ａ）は、現在（精算処理中）は休止状態ではないが暫くしたら休止状態になる旨を報知（例えば、サインポール２１３により報知等）してもよい。また、休止予告情報を受信した登録装置１０（上記例の登録装置１０ｂ）は、休止予告情報を受信した時点から、当該精算装置２０（上記例の精算装置２０ａ）の状態を、休止モードである旨の表示態様で表示してもよい。
【０１７３】
また、休止制御情報を含む登録データを受信した精算装置２０は、上述したように、暫くしたら、結局、休止モードになる。従って、休止制御情報を含む登録データを受信した精算装置２０（上記例の精算装置２０ａ）は、現在（精算処理中）は休止状態ではないが暫くしたら休止状態になる旨を報知するか否かに関係なく（つまり代えて又は加えて）、また、当該精算装置２０（上記例の精算装置２０ａ）に休止制御情報を含む登録データを送信した登録装置１０（上記例の登録装置１０ａ）や、休止予告情報を受信した登録装置１０（上記例の登録装置１０ｂ）において、当該精算装置２０（上記例の精算装置２０ａ）の以後の指定を制限（禁止）するか否かに関係なく（つまり代えて又は加えて）、登録装置（上記例の登録装置１０ａ、１０ｂ）からの以後の登録データの受信を制限（禁止）してもよい。
【０１７４】
休止制御情報を含む登録データを受信した精算装置２０は、暫くしたら（精算処理の終了後には）、結局、休止モードになると説明したが、当該動作（精算処理の終了後に休止モードなる動作）の取り消し（キャンセル）ができるようにしてもよい。例えば、休止制御情報を含む登録データを受信した精算装置２０に対し、当該精算装置２０が休止モードになる前（精算処理が終了する迄の間）に、登録装置１０（上記例の登録装置１０ａや登録装置１０ｂ）から、休止制御情報（休止）を取り消すための休止制御情報（休止取消）を送信できるようにしてもよい。そして、精算装置２０は、休止制御情報を含む登録データの受信後であって休止モードへの移行前（精算処理の終了前）に休止制御情報（休止取消）を受信した場合には、サインポール２１３等による暫くしたら休止状態になる旨の報知を実行していた場合には当該報知を終了するとともに、精算処理の終了後に休止モードにならないようにする。つまり、店員の誤操作や錯誤により休止制御情報を含む登録データを精算装置２０に送信したような場合（または、休止制御情報を含む登録データの送信後すぐに、休止モードにする必要性がなくなった場合や休止モードにするのを先送りすべき状況になった場合も同様）、当該精算装置２０が休止モードに実際に移行した後に休止制御情報（休止解除）を送信すれば実行可能モードに移行するため対処可能であるが、実際に休止モードに移行する前に休止制御情報（休止取消）を送信すればより迅速に対処可能である。なお、休止制御情報（休止取消）を送信した旨を他の装置に送信し、以後の指定等が可能になるようにしてもよい。
【０１７５】
なお、休止予告情報を受信した登録装置１０（上記例の登録装置１０ｂ）は、精算装置２０（上記例の精算装置２０ａ）の状態を休止モードである旨の表示態様で表示する場合あっても休止予告の表示態様で表示する場合であっても、当該精算装置２０（上記例の精算装置２０ａ）の以後の指定を制限（禁止）してもよい。
【０１７６】
また、精算装置２０に休止制御情報を含む登録データを送信した登録装置１０（上記例の登録装置１０ａ）は、他の登録装置１０（上記例の登録装置１０ｂ）に休止予告情報を送信するか否かに関係なく（つまり休止予告情報を他の登録装置１０に送信する態様であっても送信しない態様であっても）、休止制御情報を含む登録データを送信した時点において、当該精算装置２０の状態を、休止モードである旨の表示態様（又は、休止予告の表示態様）で表示してもよい。なお、休止制御情報を含む登録データを送信した登録装置１０（上記例の登録装置１０ａ）は、当該精算装置２０（上記例の精算装置２０ａ）の状態を休止モードである旨の表示態様で表示する場合あっても休止予告の表示態様で表示する場合であっても、当該精算装置２０（上記例の精算装置２０ａ）の以後の指定を制限（禁止）してもよい。
【０１７７】
なお、登録装置１０は、休止の理由を含む休止制御情報を含むデータを精算装置２０に送信するときには、休止の理由を含む休止予告情報を他の装置に送信してもよい。これにより、他の装置は、休止となる理由を認識することができる。例えば、登録装置１０ａは、精算装置２０ａに休止制御情報「ＳＴ０２（用紙ニアエンドの休止）」を含む登録データを送信した後（又は前）に、精算装置２０ａが用紙ニアエンドを理由として休止となる旨の休止予告情報を登録装置１０ｂ宛に送信してもよい。また例えば、登録装置１０ａは、精算装置２０ａに休止制御情報「ＳＴ０３（釣銭ニアフル（出金）」を含む登録データを送信した後（又は前）に、精算装置２０ａが釣銭ニアフル（出金）を理由として休止となる旨の休止予告情報を登録装置１０ｂ宛に送信してもよい。
【０１７８】
また、登録装置１０は、釣銭ニアフルや釣銭ニアエンドの出金に係る休止制御情報（「ＳＴ０３」「ＳＴ０４」）を含むデータを精算装置２０（出金側の精算装置２０）に送信するときには、当該精算装置２０（出金側の精算装置２０）が休止となる旨を予告する休止予告情報に代えて又は加えて、入金側の精算装置２０が休止となる旨を予告する休止予告情報を他の装置に送信してもよい。これにより、他の装置は、釣銭ニアフルや釣銭ニアエンドの出金に際し、入金側の精算装置２０が休止モードとなることを認識することができる。例えば、精算装置２０ａにおける釣銭ニアフルを解消するため、精算装置２０ａから精算装置２０ｂに貨幣を移動させる必要がある場面において、登録装置１０ａは、精算装置２０ａに休止制御情報「ＳＴ０３（釣銭ニアフル（出金）の休止）」を含む登録データを送信した後（又は前）に、精算装置２０ａが釣銭ニアフル（出金）を理由として休止となる旨の休止予告情報に代えて又は加えて、精算装置２０ｂが釣銭ニアフル（入金）を理由として休止となる旨の休止予告情報を登録装置１０ｂ宛に送信してもよい。また例えば、精算装置２０ｂにおける釣銭ニアエンドを解消するため、精算装置２０ａから精算装置２０ｂに貨幣を移動させる必要がある場面において、登録装置１０ａは、精算装置２０ａに休止制御情報「ＳＴ０４（釣銭ニアエンド（出金）の休止）」を含む登録データを送信した後（又は前）に、精算装置２０ａが釣銭ニアエンド（出金）を理由として休止となる旨の休止予告情報に代えて又は加えて、精算装置２０ｂが釣銭ニアエンド（入金）を理由として休止となる旨の休止予告情報を登録装置１０ｂ宛に送信してもよい。
【０１７９】
また、登録装置１０は、入金側の精算装置２０自体に休止予告情報を送信してもよい。これにより、入金側の精算装置２０は、自装置（入金側の精算装置２０）が、暫くしたら（出金側の精算装置２０において出金がなされ、出金側の精算装置２０から自装置宛に釣銭ニアフルや釣銭ニアエンドの入金に係る休止制御情報（「ＳＴ０５」「ＳＴ０６」）を含む休止制御データが送信された後に）、休止モードとなることを認識することができる。例えば、精算装置２０ａにおける釣銭ニアフルを解消するため、精算装置２０ａから精算装置２０ｂに貨幣を移動させる必要がある場面において、登録装置１０ａは、精算装置２０ａに休止制御情報「ＳＴ０３（釣銭ニアフル（出金）の休止）」を含む登録データを送信した後（又は前）に、休止予告情報（精算装置２０ａが釣銭ニアフル（出金）を理由として休止となる旨の休止予告情報、精算装置２０ｂが釣銭ニアフル（入金）を理由として休止となる旨の休止予告情報）を登録装置１０ｂ宛に送信することに代えて又は加えて、精算装置２０ｂに対し、当該精算装置２０ｂが釣銭ニアフル（入金）を理由として休止となる旨の休止予告情報を送信してもよい。
【０１８０】
また、釣銭ニアフルや釣銭ニアエンドの出金に係る休止制御情報（「ＳＴ０３」「ＳＴ０４」）を含む登録データを受信した出金側の精算装置２０は、出金の操作があったときに、出金側の精算装置２０において出金の操作があった旨の情報（休止予告情報と称してもよい）を他の装置に送信してもよい。例えば、出金側の精算装置２０（上記例の精算装置２０ａ）は、自装置において出金の操作があったときに、各登録装置１０（上記例の登録装置１０ａ、登録装置１０ｂ等）に休止予告情報を送信してもよい。これにより、各登録装置１０は、出金側の精算装置２０（上記例の精算装置２０ａ）が間もなく休止モードから実行可能モードになることや、入金側の精算装置２０（上記例の精算装置２０ｂ）が間もなく実行可能モードから休止モードになることなどを認識することができる。
【０１８１】
なお、出金側の精算装置２０（上記例の精算装置２０ａ）は、自装置において出金の操作があったときに、各登録装置１０に休止予告情報を送信することに代えて又は加えて、入金側の精算装置２０（上記例の精算装置２０ｂ）に休止予告情報を送信してもよい。これにより、入金側の精算装置２０（上記例の精算装置２０ｂ）は、自装置が間もなく実行可能モードから休止モードになることなどを認識することができる。
【０１８２】
なお、間もなく、入金側の精算装置２０（上記例の精算装置２０ｂ）は休止モードになるため、出金側の精算装置２０（上記例の精算装置２０ａ）において出金の操作があったタイミングで、入金側の精算装置２０に対する指定を制限（禁止）してもよい。
【０１８３】
また、本実施例では、図２に示すように、登録装置１０ａが属するユニット内には他の登録装置１０が１台（登録装置１０ｂ）しか存在しないが、登録装置１０ａが属するユニット内に他の登録装置１０が２台以上存在している場合には、登録装置１０ａは、ユニット内に存在する他の夫々の登録装置１０に休止予告情報を送信する。また、登録装置１０ａは、自身が属するユニット内に属しない登録装置１０（例えば、図１に示した登録装置１０ｃ等）や監視装置４０にも、休止予告情報を送信してもよい。
【０１８４】
（他の操作）
図２３は、操作について説明する説明図である。図２３（Ａ）〜図２３（Ｈ）の夫々は、登録装置１０において登録データを送信する迄の店員の操作等について模式的に示したものである。図２３において、「精算装置指定ボタン」とは、２０１レジボタンＢＴ２１、２０２レジボタンＢＴ２２、２０３レジボタンＢＴ２３等である。「休止の登録データ」とは、図９（Ｂ）、図１０（Ａ）、図１０（Ｂ）、図１０（Ｃ）に示したような、休止制御情報を含む登録データである。なお、「通常の登録データ」とは、図９（Ａ）に示したような、休止制御情報を含まない登録データである。
【０１８５】
上記では、小計ボタンを操作した場合には通常の登録データを送信し（図２３（Ａ）参照）、休止ボタンを操作した場合には休止の登録データを送信する（図２３（Ｂ）参照）、といった操作を説明した。つまり、通常の登録データを送信する場合（精算装置２０を精算処理の終了後に休止させない場合）には小計ボタンを操作し、休止の登録データを送信する場合（精算装置２０を精算処理の終了後に休止させる場合）には休止ボタンを操作する旨を説明した。しかしながら、通常の登録データや休止の登録データを送信する場合の操作はこれに限定されない。
【０１８６】
例えば、休止ボタンの操作後に小計ボタンの操作を可能とし、図２３（Ｃ）に示すように、休止ボタンが操作された後に更に小計ボタンが操作された場合に休止の登録データを送信してもよい。なお、休止ボタンの操作後であって小計ボタンの操作前に再度休止ボタンが操作された場合には先の休止ボタンの操作を解除してもよい。つまり、小計ボタンの操作前であれば、休止ボタンは操作される毎に、有効／無効が切り替わるようにしてもよい。図２３（Ｄ）及び図２３（Ｅ）の場合も同様である。
【０１８７】
なお、休止ボタンは、商品の登録中（小計ボタンの操作前）の何れかのタイミングであっても操作を可能とし、図２３（Ｄ）に示すように、小計ボタンの操作時において、休止ボタンが有効となっている場合には、休止の登録データを送信してもよい。
【０１８８】
また、休止ボタンは、商品の登録前のタイミングであっても操作を可能とし、図２３（Ｅ）に示すように、小計ボタンの操作時において、休止ボタンが有効となっている場合には、休止の登録データを送信してもよい。
【０１８９】
また、図２３（Ｆ）に示すように、商品の登録後に、小計ボタンの操作なく、何れかの精算装置２０が指定された場合には、通常の登録データを送信してもよい。
【０１９０】
また、商品の登録後に、小計ボタンの操作なく（又は小計ボタンの操作後に）、何れかの精算装置２０が指定された場合、指定先の精算装置２０の状態に応じて、通常の登録データを送信するか、休止の登録データを送信するかを決定してもよい。例えば、図２３（Ｇ）に示すように、指定先の精算装置２０が、釣銭ニアフル状態を解消する貨幣の出金元や釣銭ニアエンド状態を解消する貨幣の出金元や用紙ニアエンド状態等でなければ通常の登録データを送信し、指定先の精算装置２０が、釣銭ニアフル状態を解消する貨幣の出金元や釣銭ニアエンド状態を解消する貨幣の出金元や用紙ニアエンド状態等であれば休止の登録データを送信してもよい。
【０１９１】
また、図２３（Ｈ）に示すように、指定先の精算装置２０が、釣銭ニアフル状態を解消する貨幣の出金元や釣銭ニアエンド状態を解消する貨幣の出金元や用紙ニアエンド状態等であれば、指定先の精算装置２０を休止させるか否か（ＯＫ／ＮＧ）を店員に選択させる小画面（小ウィンドウ）を表示し、休止させない旨の選択（ＮＧ）があった場合には通常の登録データを送信し、休止させる旨の選択（ＯＫ）があった場合には休止の登録データを送信してもよい。なお、上記小画面には、指定先の精算装置２０を休止させる理由（釣銭ニアフル（出金）、釣銭ニアエンド（出金）、用紙ニアエンド等）を表示してもよい。
【０１９２】
また、図２３（Ｂ）〜図２３（Ｅ）、図２３（Ｇ）、図２３（Ｈ）において、休止の登録データを送信する場合には、送信後に、休止の登録データを送信した旨のメッセージを表示してもよい。
【０１９３】
なお、図５等に示す例では、小計ボタンと休止ボタンと休止解除ボタンは同一画面上に表示（配置）されているが、小計ボタンと休止ボタンの夫々を夫々異なる画面上に表示してもよいし、休止ボタンと休止解除ボタンの夫々を夫々異なる画面上に表示してもよい。
【０１９４】
また、図５、図７等に示す例では、小計ボタンや休止ボタンや休止解除ボタンとは異なる画面上に精算装置指定ボタンを表示しているが、小計ボタン、休止ボタン、休止解除ボタンのうちの少なくとも１つのボタンと同一の画面上に精算装置指定ボタンを表示してもよい。
【０１９５】
また、図５等に示す例では、小計ボタンは、画面上に表示されるものであるが、画面上に表示されることに代えて又は加えて、キー操作部１０８として備えられていてもよい。休止ボタン、休止解除ボタン、精算装置指定ボタンについても同様である。
【０１９６】
また、図７及び図１４等に示す例では、小計ボタンの操作後に休止ボタンを操作できないが、小計ボタンの操作後に休止ボタンを操作できるようにしてもよい。例えば、以下の（１）又は（２）ようにしてもよい。
【０１９７】
（１）小計ボタン操作前は休止ボタンが操作不可能、小計ボタン操作後は休止ボタンが操作可能な態様
例えば、小計ボタンＢＴ１０の操作前の画面（図５等）には休止ボタンＢＴ１１を配置せずに（又は、配置はするが、休止可能な精算装置２０が存在しても操作可能ではない表示態様で表示し）、小計ボタン操作ＢＴ１０の後の画面（図７等）に休止ボタンＢＴ１１を配置する。例えば、休止ボタンＢＴ１１は操作される毎に、有効／無効が切り替わるようにしてもよい。２０１レジ（精算装置２０ａ）を休止させる場合には、２０１レジの指定時（２０１レジボタンＢＴ２１を操作するとき）に、休止ボタンＢＴ１１が有効になっていればよい。下記（２）においても同様である。
【０１９８】
休止ボタンＢＴ１１が有効になっているときには、精算装置２０を精算処理後に休止させる旨（休止ボタンＢＴ１１が操作された旨）のメッセージ（例えば、図８のメッセージＭ１と同様のメッセージ）を表示してもよい。下記（２）においても同様である。
【０１９９】
なお、当該（１）の態様は、小計ボタン操作前は休止ボタンが操作不可能であるため（つまり休止ボタンは小計ボタン操作後に操作可能になるため）、精算処理の終了後に精算装置２０を休止させる態様（図９（Ｃ）の休止制御データを送信しない態様）である。
【０２００】
（２）小計ボタン操作前および操作後の何れであっても休止ボタンが操作可能な態様
例えば、小計ボタンＢＴ１０の操作前の画面（図５等）にも小計ボタン操作ＢＴ１０の後の画面（図７等）にも休止ボタンＢＴ１１を配置する。つまり、小計ボタンＢＴ１０の操作前の画面において休止ボタンＢＴ１１が操作されることなく小計ボタンＢＴ１０が操作された場合であっても、小計ボタンＢＴ１０の操作後の画面において休止ボタンＢＴ１１を操作可能（有効、無効の切替可能）とし、小計ボタンＢＴ１０の操作前の画面において小計ボタンＢＴ１０が操作されることなく休止ボタンＢＴ１１が操作された場合であっても、小計ボタンＢＴ１０の操作後の画面において休止ボタンＢＴ１１を操作可能（有効、無効の切替可能）としてもよい。
【０２０１】
また、個々の精算装置２０について休止モードである旨を示す画像（例えば、図１１、図１２（Ａ）、図１３に示した画像ＧＡＫ）を操作可能としてもよい（ボタン化してもよい）。つまり、休止モードである旨を示す画像に代えて、休止モードを解除する休止解除ボタンＢＴＫ（例えば、画像ＧＡＫをボタン化したもの）を表示し、当該ボタンを操作して精算装置２０の休止を解除できるようにしてもよい。例えば、図１２（Ａ）において、休止状態である２０１レジ（精算装置２０ａ）に対応する画像ＧＡ０１の上に表示されている休止解除ボタンＢＴＫを操作することによって、精算装置２０ａの休止を解除できるようにしてもよい。休止解除が可能である場合（図１２（Ａ）の場面等）には、休止解除ボタンＢＴＫを実線で表示し、休止解除が可能ではない場合（図１１、図１３の場面等）には、休止解除ボタンＢＴＫを破線で表示してもよい。また、休止解除ボタンＢＴＫを用いる態様においては、休止解除ボタンＢＴＫに加えて、休止ボタンＢＴ１１を用いてもよいし用いなくてもよい。つまり、休止解除ボタンＢＴＫを用いる態様においては、休止ボタンＢＴ１１と休止解除ボタンＢＴＫとを併用してもよいし、休止解除ボタンＢＴＫのみを用いてもよい。
【０２０２】
なお、上記説明では、例えば図９（Ｂ）等に示したデータについて、休止制御情報を含む登録データと称している。つまり、送信先〜休止制御情報の全体を登録データと称している。しかしながら、例えば、登録した商品に関する情報（例えば、商品コード、商品名、単価）のみを指して登録データと捉える場合には、例えば図９（Ｂ）に示したデータは、登録データ（例えば、商品コード、商品名、単価）や休止制御情報等となる。従って、送信先〜休止制御情報の全体を登録データとするならば、図９（Ｂ）に示したデータを送信することは、休止制御情報を含む登録データを送信すると表現されるが、登録した商品に関する情報のみを指して登録データとするならば、図９（Ｂ）に示したデータを送信することは、登録データとともに休止制御情報を送信すると表現されることになる。
【０２０３】
また、上記説明では、例えば図９（Ｂ）等に示した休止制御情報を含む１つのデータを送信しているが、例えば図９（Ｂ）等に示したデータから休止制御情報を除いたデータ（図９（Ａ）に示すようなデータ）と、休止制御情報を含むデータ（図９（Ｃ）に示すようなデータ）の２つのデータを送信してもよい。
【０２０４】
なお、上記説明では、精算装置２０の休止理由が釣銭に関する理由（釣銭ニアフル、釣銭ニアエンド等）である場合、休止の理由を含まない休止制御情報（休止制御情報「ＳＴ０１」等）ではなく、釣銭に関する休止の理由を含む休止制御情報（例えば、図１０に示した休止制御情報「ＳＴ０３」〜休止制御情報「ＳＴ０６」等）を送信するが、休止の理由を含まない休止制御情報（休止制御情報「ＳＴ０１」等）を送信してもよい。精算装置２０の休止理由が用紙に関する理由（用紙ニアエンド等）である場合も同様である。
【０２０５】
また、精算装置２０の休止理由が釣銭に関する理由である場合には、休止制御情報（釣銭に関する休止の理由を含む休止制御情報、または、休止の理由を含まない休止制御情報）に加えて、釣銭の移動情報（貨幣種毎の移動枚数、移動元、移動先）を送信してもよい。換言すれば、釣銭の移動情報とともに休止制御情報を送信するようにしてもよい。釣銭の移動情報とは、登録装置１０や監視装置４０が、各精算装置の貨幣種毎の保持枚数に基づいて決定する情報である。例えば、釣銭の移動情報は、精算装置２０間等における貨幣の移動に関する情報（貨幣種毎の移動枚数、移動元、移動先）であってもよい。つまり、釣銭ニアフルや釣銭を解消するために休止制御情報を含むデータ（登録データ、休止制御データ）を送信する際に貨幣の移動に関する情報を決定し、決定した貨幣の移動に関する情報を、休止制御情報を含むデータとともに送信してもよい。お会計券を利用する場合についても同様である。つまり、お会計券に、休止制御情報に加えて、釣銭の移動情報をコード化して印刷するようにしてもよいし、お会計券に印刷れているコード化された情報に基づいて釣銭の移動情報が得られるようにしてもよい。
【０２０６】
なお、上記実施形態では、店員は、登録装置１０を操作して精算装置２０を休止させたり休止を解除したりすることができるが、特定の店員である場合に限って（操作者の権限に応じて）、精算装置２０を休止させたり休止を解除したりすることができるようにしてもよい。例えば、店長等が登録装置１０にログインしているときには、休止対象の精算装置２０が存在していることを条件に休止ボタンＢ１０を操作できるようにし、アルバイト等が登録装置１０にログインしているときには、休止対象の精算装置２０が存在していたとしても休止ボタンＢ１０を操作できないようにしてもよい（休止ボタンＢ１０を非表示、休止ボタンＢ１０を表示するが操作しても反応しない、休止ボタンＢ１０を操作して反応するがエラーとなる等）。休止解除等についても同様である。
【０２０７】
なお、図２に示した例は、２台の登録装置１０と３台の精算装置２０等が、天井側から見た場合に略“コ”の字型の形状になるような位置に夫々配置されているが、登録装置１０、精算装置２０の台数や、夫々の配置位置については、図２に示した例に限定されない。例えば、１台以上の登録装置１０と１台以上の精算装置２０とを横一列に並べるようにしてもよい。
【０２０８】
また、上記実施形態における登録装置１０は、登録処理を実行し精算処理を実行しないが、登録装置１０は、釣銭機を備え、登録処理に加えて精算処理も実行可能であってもよい。例えば、登録装置１０は、他装置（精算装置２０）に登録データを送信する機能（他装置に精算処理を実行させる機能）と、他装置（精算装置２０）に登録データを送信せずに自装置１０にて精算処理を実行する機能とを備えるものであってもよい。
【０２０９】
同様に、上記実施形態における精算装置２０は、精算処理を実行し登録処理を実行しないが、精算装置２０は、精算処理に加えて登録処理も実行可能であってもよい。例えば、精算装置２０は、自装置２０にて実行する精算処理に用いる登録データを他装置（登録装置１０）から取得（受信、読取等）する機能と、自装置２０にて実行する精算処理に用いる登録データを自装置２０において生成する機能（つまり商品登録する機能）とを備えるものであってもよい。
＜変形例＞
以下、変形例について説明する。
【０２１０】
［変形例］
なお、上記実施形態において、複数の精算装置２０のうちから精算処理を実行させる精算装置２０を指定する態様としては、精算処理を実行させる精算装置２０を、店員が登録装置１０にて指定する態様（第１の指定態様）と、客に手渡しされるお会計券を登録装置１０から発行させ、店員から手渡しされたお会計券を、客が１つの精算装置２０に読み取らせる態様（第２の指定態様）とを挙げている。しかながら、精算装置２０を指定する態様としては、上記の態様に限定されない。例えば、以下の第３の指定態様から第７の指定態様のように精算装置２０が指定されてもよい。
【０２１１】
第３の指定態様として、商品登録の完了に応じて店員用表示部１０５に表示された送信ボタンに対して行われた操作に応じて（あるいは商品登録の完了を宣言するような操作であってもよい）、登録装置１０が、例えば精算装置２０に状態の問合せを行って精算処理が可能な（例えば、障害が発生しておらず、使用中でもない）精算装置２０を認識し、使用中でない精算装置２０のうちから所定の規則に従って、１つの精算装置２０を決定する。そして、登録装置１０は、決定した精算装置２０に精算情報を送信して精算処理の実行を指示する。
【０２１２】
第４の指定態様として、予め精算装置２０について精算処理の優先順位を設定しておくようにする。そのうえで、商品登録の完了に応じて、店員用表示部１０５に精算装置２０への精算情報の送信を指示する送信ボタンの操作が有効となるように表示する。送信ボタンが操作されたことに応じて、登録装置１０は、設定された優先順位に従った順で精算装置２０の精算処理が可能であるか否かを確認し、精算処理が可能であることが確認されなければ、優先順位が次の精算装置２０について確認するようにする。そのうえで、登録装置１０は、最初に精算処理が可能であることが確認された精算装置２０に精算情報を送信して精算処理の実行を指示する。
【０２１３】
なお、上記の第３の指定態様における所定規則に従った精算装置２０、あるいは第４の指定態様における精算装置２０の優先順位としては、例えば、精算装置２０に割り当てられた番号に基づいて決定されてよい。あるいは、登録装置１０から精算装置２０までの距離に基づいて決定されてよい。あるいは、合計金額に基づいて予測される釣銭の金種の内訳と精算装置２０の釣銭機に収納されている貨幣の金種ごとの枚数との関係に基づいて決定されてよい。
【０２１４】
第５の指定態様として、登録装置１０は、全ての精算装置２０に精算情報を送信する。精算情報を受信した精算装置２０は、自己が受信した精算情報に含まれる精算情報を利用して精算処理を実行可能な状態となると、自己が精算処理を実行することを通知する精算処理実行通知を精算情報の送信元の登録装置１０に送信する。
登録装置１０は、精算処理実行通知の受信に応じて、精算処理実行通知の送信先の精算装置２０を示す表示（精算処理実行表示）を行う。店員は、精算処理実行表示を見て、精算処理を実行する精算装置２０がいずれであるのかを客に伝えればよい。
この際、精算処理実行表示とともに、精算処理実行通知を送信した精算装置２０のサインポール２１３を所定のパターンで点灯させたり、精算装置２０から所定の報知音を出力させたりすることで、自己が精算処理を実行することを報知するようにしてよい。
【０２１５】
上記の第３〜第５の指定態様による精算装置２０の指定によれば、精算処理を実行させるべき精算装置２０をいずれとするのかを判断しなくともよい。
【０２１６】
第６の指定態様として、登録装置１０にて商品登録を終えた商品が容れられた買い物カゴを、店員が、精算装置２０ごとに対応して設置されたカゴ置き場のうちのいずれかに買い物カゴを移動させる。
カゴ置き場には、載置された買い物カゴを検出するセンサ（重量センサ、あるいは光センサ等）が備えられる。センサによりカゴ置き場買い物カゴが載置されたことが判定されると、対応の精算装置２０が要求を行って、登録装置１０から対応の精算情報を取得し、精算処理を実行するようにされる。
この場合にも、精算処理を実行することとなった精算装置２０が、サインポール２１３の点灯や報知音の出力などにより、自己が精算処理を実行することを報知するようにしてよい。
なお、載置された買い物カゴを検出するセンサに代えて、例えば店員に対応して人感センサや撮像装置を設けてよい。そして、登録装置１０は、人感センサの検出出力や撮像装置により撮像して得られた画像等に基づいて、店員の動きを判断し、判断された結果に基づいて、店員が精算装置２０ごとに対応して設置されたカゴ置き場のうちのいずれに買い物カゴを設置したのかを判定する。そして、判定されたカゴ置き場に対応する精算装置２０を精算処理を実行すべき精算装置２０として決定するようにしてよい。
【０２１７】
第７の指定態様として、登録装置１０は、精算情報と、複数の精算装置２０間での転送順を設定した転送順情報とを含む精算指示情報を、或る１つの精算装置２０に送信する。
転送順情報は、精算装置２０間で循環的に転送順を指定するものであってよい。
精算指示情報を受信した精算装置２０は、自己が精算処理を実行可能であれば、精算指示情報の送信元の登録装置１０に対して、精算処理実行通知を送信し、受信された精算指示情報に含まれる精算情報を利用して精算処理を実行する。
一方、精算指示情報を受信した精算装置２０は、自己が精算処理を実行不可である場合、受信された精算指示情報に含まれる転送順情報に従って、転送順が次の精算装置２０に対して、受信された精算指示情報を転送する。このようにして、精算装置２０間で精算指示情報が順次転送されるようにすることによっても、精算処理を実行させるべき精算装置２０の指定に相当する手順が実現される。
【０２１８】
上記の各指定態様において、精算処理を実行させる精算装置２０の決定に関する処理は、例えば監視装置４０やストアコントローラ３０などのように、登録装置１０及び精算装置２０以外の所定の装置が、登録装置１０による登録処理の終了に応じて実行するようにされてよい。登録装置１０及び精算装置２０以外の所定の装置としては、例えば精算装置２０の状態をモニタリングするために設けられた装置等であってもよい。
【０２１９】
以下、付記１〜付記３を開示する。
（付記１）
顧客の購入対象の商品を登録する複数の登録装置と、前記商品の登録データに基づいて顧客が自ら操作して精算処理を行う複数の精算装置とを有する商品販売データ処理システムにおいて、
前記登録装置は、
商品を登録する登録手段と、
前記登録手段によって登録された商品の登録データを出力（送信、コード化してお会計券上に印刷等）する出力手段と、
前記精算装置を休止させるための休止操作を受け付ける休止操作手段（休止ボタン、又は、休止ボタンによる操作）と
を備え、
前記出力手段は、前記休止操作手段が前記休止操作を受け付けている場合には、当該休止操作に基づいて前記精算装置を休止させるための休止情報（休止制御情報）を出力することを特徴とする商品販売データ処理システム。
【０２２０】
上記構成によれば、休止情報が出力されるため、精算装置のところまで移動して実際に操作する必要がなく、店員の負担が軽減する。
【０２２１】
（付記２）
前記出力手段は、前記休止操作手段が前記休止操作を受け付けている場合には、前記登録データとともに前記休止情報（休止制御情報）を出力することを特徴とする付記１に記載の商品販売データ処理システム。
【０２２２】
上記構成によれば、通常の取引（商品登録業務）のなかで精算装置を停止できるため、店員の負担が軽減する。また、取引中に精算装置を停止させようと思い立ったような場合に、当該取引中において精算装置を停止させる操作が可能であるため、当該取引の終了後に改めて操作をするよりも店員の負担が軽減する。
【０２２３】
（付記３）
前記登録装置は、前記休止操作手段が前記休止操作を受け付けた場合には、当該休止操作によって休止させる前記精算装置が休止する旨を他の登録装置に報知することを特徴とする付記１または付記２に記載の商品販売データ処理システム。例えば、前記出力手段は、前記休止操作手段が前記休止操作を受け付けた場合には、他の登録装置に対し、当該休止操作によって休止させる前記精算装置が休止する旨の報知情報を出力することを特徴とする付記１または付記２に記載の商品販売データ処理システム。
【０２２４】
上記構成によれば、他の登録装置は、実際に休止モードとなる前に休止モードとなる旨を認識することができる。
【０２２５】
（付記４）
前記出力手段は、釣銭に関する情報（例えば、釣銭に関する休止の理由、釣銭の移動情報）とともに前記休止情報を出力することを特徴とする付記１乃至付記３のいずれかに記載の商品販売データ処理システム。
【０２２６】
上記構成によれば、休止状態とした後に、釣銭の移動を簡便に行うことができる。つまり、精算装置の釣銭機に釣り銭を補給等する際には、該精算装置における客の処理が途切れたタイミングで補給等を行う必要があるため、従来は、店員が、処理中の客の傍らで待機しつつ、次の客の処理が行われないように（当該精算装置に登録データを送信しないように）、登録装置側の店員に声をかけるなどしなければならず、釣銭の移動時の店員の負担が大きかった。一方、上記構成によれば、精算装置の釣銭機に釣り銭を補給等する際には、例えば、補給等する精算装置に休止情報を送信すれば足りるため、釣銭の移動を簡便に行うことができ、釣銭の移動時の店員の負担が軽減する。
【０２２７】
（付記５）
前記精算装置は、少なくとも、精算処理が実行可能な状態である実行可能状態と、精算処理が実行不可能な状態である休止状態と制御する状態制御手段と、前記登録データを受信する受信手段と、前記受信手段によって受信された前記登録データに基づいて精算処理を行う精算手段とを備え、前記状態制御手段は、前記登録データとともに前記休止情報を受信した場合には、前記精算手段による精算処理が行われた後に前記休止状態に制御することを特徴とする付記１乃至付記４の何れかに記載の商品販売データ処理システム。
【０２２８】
上記構成によれば、店員が介入することなく、好適なタイミング（客の精算処理の操作の完了を待って）、休止状態に制御することができる。
【０２２９】
（付記６）
顧客の購入対象の商品を登録する登録装置であって、商品を登録する登録手段と、
前記登録手段によって登録された商品の登録データを出力する出力手段と、前記商品の登録データに基づいて顧客が自ら操作して精算処理を行う精算装置を休止させるための休止操作を受け付ける休止操作手段とを備え、前記休止操作手段が前記休止操作を受け付けている場合には、当該休止操作に基づいて前記精算装置を休止させるための休止情報を出力することを特徴とする登録装置。
【０２３０】
なお、上述のＰＯＳシステム１、登録装置１０、精算装置２０、監視装置４０などとしての機能を実現するためのプログラムをコンピュータ読み取り可能な記録媒体に記録して、この記録媒体に記録されたプログラムをコンピュータシステムに読み込ませ、実行することにより上述のＰＯＳシステム１などとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０２３１】
また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【０２３２】
１…ＰＯＳシステム（商品販売データ処理システム）
１０…登録装置
２０…精算装置
３０…ストアコントローラ
４０…監視装置
１０１…ＣＰＵ
１０２…記憶部
１０３…ＲＡＭ
１０４…スキャナ部
１０５…店員用表示部
１０６…客用表示部
１０７…ハードディスク
１０８…キー操作部
１０９…通信部
１１０…ブザー
１１１…印刷部
２０１…ＣＰＵ
２０２…記憶部
２０３…ＲＡＭ
２０４…スキャナ部
２０５…表示部
２０７…ハードディスク
２０９…通信部
２１０…ブザー
２１１…印刷部
２１２…釣銭機
２１３…サインポール
【図１】
2019133514.tif 000003
【図２】
2019133514.tif 000004
【図３】
2019133514.tif 000005
【図４】
2019133514.tif 000006
【図５】
2019133514.tif 000007
【図６】
2019133514.tif 000008
【図７】
2019133514.tif 000009
【図８】
2019133514.tif 000010
【図９】
2019133514.tif 000011
【図１０】
2019133514.tif 000012
【図１１】
2019133514.tif 000013
【図１２】
2019133514.tif 000014
【図１３】
2019133514.tif 000015
【図１４】
2019133514.tif 000016
【図１５】
2019133514.tif 000017
【図１６】
2019133514.tif 000018
【図１７】
2019133514.tif 000019
【図１８】
2019133514.tif 000020
【図１９】
2019133514.tif 000021
【図２０】
2019133514.tif 000022
【図２１】
2019133514.tif 000023
【図２２】
2019133514.tif 000024
【図２３】
2019133514.tif 000025